(57)【要約】【課題】排紙台上における排出直交方向での各用紙の位置を適切に揃えることのできる排紙収容装置を提供すること。【解決手段】排紙載置面３１ａを形成する排紙台３１と、用紙排出方向Ｃｄに移動な排紙エンドフェンス３２と、排紙ガイド面３３ａを形成し排出直交方向Ｒｄで対を為すとともに排出直交方向Ｒｄに移動可能な排紙サイドフェンス３３と、排出直交方向Ｒｄに伸びるレール部材（３４）と、対応する排紙サイドフェンス３３が被設置面に設置されるスライダ部材（３８）と、を備える。各排紙サイドフェンス３３は、サイドフェンス回転軸４３を回転中心として回転可能とされつつ、弾性部材（４５）を変形させることで設置底面４２ｂが被設置面３８ｂに押し付けられてスライダ部材に支持され、各スライダ部材には、設置底面４２ｂにおける排出直交方向Ｒｄで見たいずれか一方の端部と被設置面３８ｂとの間隔を調整する間隔調整機構（４６）が設けられている。【選択図】図３
2014144859.tif 000002
【特許請求の範囲】
【請求項１】
用紙排出方向に排出された用紙を積載する排紙載置面を形成する排紙台と、
前記用紙排出方向に移動可能に前記排紙台に設けられ、前記排紙載置面における前記用紙排出方向での前記用紙の積載位置を規制する排紙エンドフェンスと、
前記用紙排出方向と直交する排出直交方向で対を為すとともに前記排出直交方向に移動可能に前記排紙台に設けられ、前記用紙排出方向と平行な排紙ガイド面を形成する排紙サイドフェンスと、
前記排出直交方向に伸びて前記排紙台に設けられたレール部材と、
前記各排紙サイドフェンスに対応して対を為して前記レール部材に沿って移動可能に設けられ、対応する前記排紙サイドフェンスを被設置面に設置させるスライダ部材と、を備え、
前記各排紙サイドフェンスは、前記用紙排出方向と平行なサイドフェンス回転軸を回転中心として回転可能とされつつ、弾性部材を変形させることで設置底面が前記被設置面に押し付けられて前記スライダ部材に支持され、
前記各スライダ部材には、前記設置底面における前記排出直交方向で見たいずれか一方の端部と前記被設置面との間隔を調整する間隔調整機構が設けられていることを特徴とする排紙収容装置。
【請求項２】
前記各サイドフェンス回転軸は、前記排紙ガイド面よりも前記排紙載置面における前記排出直交方向の外側に設けられ、
前記各間隔調整機構は、前記サイドフェンス回転軸よりも前記排紙載置面における前記排出直交方向の外側で、前記設置底面と前記被設置面との間隔を調整することを特徴とする請求項１に記載の排紙収容装置。
【請求項３】
前記各間隔調整機構は、前記排紙ガイド面を前記排紙載置面に直交させる状態の前記設置底面と前記被設置面との間隔を基準として、前記設置底面と前記被設置面との間隔を小さくすることと大きくすることとが可能であることを特徴とする請求項１または請求項２に記載の排紙収容装置。
【請求項４】
前記各スライダ部材には、前記サイドフェンス回転軸を支持する支持脚部材が、前記被設置面に直交する方向で移動可能に設けられ、
前記弾性部材は、変形されることで前記支持脚部材における前記サイドフェンス回転軸を支持する箇所を前記被設置面に接近させる方向へと前記支持脚部材を押し、
前記各排紙サイドフェンスでは、前記弾性部材により前記サイドフェンス回転軸が前記被設置面へ向けて押されることにより、前記設置底面が前記被設置面に押し付けられていることを特徴とする請求項１から請求項３のいずれか１項に記載の排紙収容装置。
【請求項５】
前記各間隔調整機構は、前記設置底面における前記排出直交方向で見たいずれか一方の端部と前記被設置面との間に配置する複数の板状のスペーサ部材を備え、前記スペーサ部材の枚数を変化させることにより前記設置底面における前記排出直交方向で見たいずれか一方の端部と前記被設置面との間隔を調整することを特徴とする請求項１から請求項４のいずれか１項に記載の排紙収容装置。
【請求項６】
前記各間隔調整機構は、前記設置底面における前記排出直交方向で見たいずれか一方の端部から突出端部を突出させて前記突出端部を前記被設置面に当てるとともに、前記突出端部の前記設置底面からの突出量を変化させるべく前記排紙サイドフェンスに対して移動可能に設けた突出片部材を備え、前記排紙サイドフェンスに対して前記突出片部材を移動して前記突出端部の突出量を変化させることにより前記設置底面における前記排出直交方向で見たいずれか一方の端部と前記被設置面との間隔を調整することを特徴とする請求項１から請求項４のいずれか１項に記載の排紙収容装置。
【請求項７】
前記各間隔調整機構は、前記スライダ部材に設けられた回転駆動部と、前記回転駆動部からの駆動力を前記排紙サイドフェンスにおける前記サイドフェンス回転軸を回転中心とする回転力に変換して前記排紙サイドフェンスに伝達する伝達部と、を備え、前記回転駆動部からの駆動力により前記スライダ部材に対して前記排紙サイドフェンスを回転させることにより前記設置底面における前記排出直交方向で見たいずれか一方の端部と前記被設置面との間隔を調整することを特徴とする請求項１から請求項４のいずれか１項に記載の排紙収容装置。
【請求項８】
前記各排紙サイドフェンスは、前記スライダ部材に対して前記サイドフェンス回転軸を回転中心として回転させることで、前記排紙ガイド面を前記排紙載置面に対向させるように前記排紙載置面における前記排出直交方向の内側へと傾倒可能であることを特徴とする請求項１から請求項７のいずれか１項に記載の排紙収容装置。
【請求項９】
用紙に印刷画像を形成する画像形成機構と、印刷画像が形成された前記用紙を用紙排出方向に排出する用紙排出機構と、請求項１から請求項８のいずれか１項に記載の排紙収容装置と、を備えることを特徴とする画像形成装置。
【発明の詳細な説明】
【技術分野】
【０００１】
本発明は、画像が形成された用紙を積載して収容する排紙収容装置、およびそれを備える画像形成装置に関する。
【背景技術】
【０００２】
従来、孔版印刷装置や複写機等の画像形成装置では、画像形成して排出した用紙を積載して収容する排紙収容装置を用いることが考えられている。その排紙収容装置では、排出された用紙を積載する排紙台に、用紙が排出される方向（以下では、用紙排出方向とする）に設けられた排紙エンドフェンスと、用紙排出方向に直交する方向（以下では、排出直交方向とする）で対を為す排紙サイドフェンスと、が設けられて構成されているものがある（例えば、特許文献１参照）。その排紙エンドフェンスは、排紙台上で用紙排出方向に移動可能に設けられているとともに、１対の排紙サイドフェンスは、排紙台上で排出直交方向に移動可能に設けられている。この排紙収容装置では、排紙台上において、排出される用紙のサイズに合わせて、排紙エンドフェンスの用紙排出方向での位置と、両排紙サイドフェンスの排出直交方向での位置と、を調整することができる。このため、上記した排紙収容装置では、排出された用紙を排紙エンドフェンスに当てることで、排紙台上における用紙排出方向での用紙の位置を決定する。また、上記した排紙収容装置では、用紙において排出直交方向に位置する両側縁をそれぞれに対応する排紙サイドフェンスに当てることで、排紙台上における排出直交方向での用紙の位置を決定する。これにより、上記した排紙収容装置では、順次排出される用紙を揃えて排紙台に積載することができる。
【発明の概要】
【発明が解決しようとする課題】
【０００３】
しかしながら、上記した排紙収容装置では、基本的に両排紙サイドフェンスの排紙台上における排出直交方向での位置の調節を可能とするものであることから、各用紙の排出直交方向での位置を適切に揃える観点から改良の余地がある。
【０００４】
本発明は、上記の事情に鑑みて為されたもので、排紙台上における排出直交方向での各用紙の位置を適切に揃えることのできる排紙収容装置を提供することを目的とする。
【課題を解決するための手段】
【０００５】
請求項１に記載の排紙収容装置は、用紙排出方向に排出された用紙を積載する排紙載置面を形成する排紙台と、前記用紙排出方向に移動可能に前記排紙台に設けられ、前記排紙載置面における前記用紙排出方向での前記用紙の積載位置を規制する排紙エンドフェンスと、前記用紙排出方向と直交する排出直交方向で対を為すとともに該排出直交方向に移動可能に前記排紙台に設けられ、前記用紙排出方向と平行な排紙ガイド面を形成する排紙サイドフェンスと、前記排出直交方向に伸びて前記排紙台に設けられたレール部材と、前記各排紙サイドフェンスに対応して対を為して前記レール部材に沿って移動可能に設けられ、対応する前記排紙サイドフェンスが被設置面に設置されるスライダ部材と、を備え、前記各排紙サイドフェンスは、前記用紙排出方向と平行なサイドフェンス回転軸を回転中心として回転可能とされつつ、弾性部材を変形させることで設置底面が前記被設置面に押し付けられて前記スライダ部材に支持され、前記各スライダ部材には、前記設置底面における前記排出直交方向で見たいずれか一方の端部と前記被設置面との間隔を調整する間隔調整機構が設けられていることを特徴とする。
【発明の効果】
【０００６】
本発明に係る排紙収容装置では、排紙台上における排出直交方向での各用紙の位置を適切に揃えることができる。
【図面の簡単な説明】
【０００７】
【図１】本発明の実施例１の排紙収容装置３０を備える画像形成装置の一実施例としての孔版印刷装置１０の構成を示す説明図である。
【図２】排紙収容装置３０の構成を斜視図で示す説明図である。
【図３】排紙収容装置３０における一方の排紙サイドフェンス３３（設置用基部４２）、サイド側スライダ部材３８および間隔調整機構の構成を説明するために用紙排出方向Ｃｄで見た様子を模式的に示す説明図である。
【図４】排紙収容装置３０における設置用基部４２（排紙サイドフェンス３３）、サイド側レール部材３４、サイド側スライダ部材３８および間隔調整機構の構成を説明するために、それらの周辺を拡大した斜視図で示す説明図である。
【図５】サイド側スライダ部材３８における１対の固定爪部材３９の構成を説明するために、固定爪用凹所３８ｅの周辺を拡大した斜視図で示す説明図である。
【図６】サイド側レール部材３４と１対の固定爪部材３９との作用を説明するための説明図である。
【図７】排紙収容装置３０における間隔調整機構の作用を説明するための図７と同様の説明図であって、（ａ）は被設置面３８ｂと設置底面４２ｂ（対向箇所４２ｄ）とを基準状態とした様子を示し、（ｂ）は被設置面３８ｂと設置底面４２ｂ（対向箇所４２ｄ）との間隔を基準状態よりも小さくした様子を示し、（ｃ）は被設置面３８ｂと設置底面４２ｂ（対向箇所４２ｄ）との間隔を基準状態よりも大きくした様子を示す。
【図８】排紙サイドフェンス３３を排出直交方向Ｒｄ内側へと倒して排紙台３１の排紙載置面３１ａ上に折り畳んだ様子を説明するための説明図である。
【図９】実施例１の排紙収容装置３０において、設置用基部４２´およびサイド側スライダ部材３８´の構成を変形させた例（排紙収容装置３０´）を示す図３と同様の説明図である。
【図１０】本発明の実施例２の排紙収容装置３０２における排紙サイドフェンス３３、サイド側スライダ部材３８および間隔調整機構の構成を説明するための図３と同様の説明図であって、円Ａで示す箇所（Ａ部）を部分的に拡大して断面で示した様子を円Ｂ内に示している。
【図１１】排紙収容装置３０２における間隔調整機構の作用を説明するための図７と同様の説明図であって、（ａ）は被設置面３８ｂと設置底面４２ｂ（対向箇所４２ｄ）とを基準状態とした様子を示し、（ｂ）は被設置面３８ｂと設置底面４２ｂ（対向箇所４２ｄ）との間隔を基準状態よりも小さくした様子を示し、（ｃ）は被設置面３８ｂと設置底面４２ｂ（対向箇所４２ｄ）との間隔を基準状態よりも大きくした様子を示す。
【図１２】本発明の実施例３の排紙収容装置３０３における排紙サイドフェンス３３、サイド側スライダ部材３８および間隔調整機構の構成を説明するための図３と同様の説明図である。
【図１３】排紙収容装置３０３における間隔調整機構の作用を説明するための図７と同様の説明図であって、（ａ）は被設置面３８ｂと設置底面４２ｂ（対向箇所４２ｄ）とを基準状態とした様子を示し、（ｂ）は被設置面３８ｂと設置底面４２ｂ（対向箇所４２ｄ）との間隔を基準状態よりも小さくした様子を示し、（ｃ）は被設置面３８ｂと設置底面４２ｂ（対向箇所４２ｄ）との間隔を基準状態よりも大きくした様子を示す。
【図１４】実施例３の排紙収容装置３０３において、設置用基部４２３´およびサイド側スライダ部材３８´´の構成を変形させた例（排紙収容装置３０３´）を示す図３と同様の説明図である。
【発明を実施するための形態】
【０００８】
以下に、本発明に係る排紙収容装置、およびそれを備える画像形成装置の各実施例について図面を参照しつつ説明する。
【実施例１】
【０００９】
本発明に係る排紙収容装置の一実施例としての排紙収容装置３０、およびそれを備える画像形成装置の一実施例としての孔版印刷装置１０の概略的な構成を、図１から図８を用いて説明する。なお、図３から図８では、図７において排紙台３１（その排紙載置面３１ａ）に対して排紙サイドフェンス３３（その排紙ガイド面３３ａ）が傾斜される様子を強調するために、その図７に合わせた構成で示しているが、実際の構成および傾斜する角度と必ずしも一致するものではない。
【００１０】
孔版印刷装置１０は、図１に示すように、その外形形状を規定する本体キャビネット１０ａに、原稿読取部１１と製版部１２と印刷部１３と給紙部１４と排紙部１５と排版部１６と、が設けられて構成されている。原稿読取部１１には、分離ローラ１１ａと、前原稿搬送ローラ対１１ｂ、１１ｃと、後原稿搬送ローラ対１１ｄ、１１ｅと、が回転可能とされて設けられている。その原稿読取部１１では、分離ローラ１１ａと、前原稿搬送ローラ対１１ｂ、１１ｃと、後原稿搬送ローラ対１１ｄ、１１ｅと、を駆動手段（図示せず）で適宜回転駆動させることにより、原稿受け台１１ｆにセットされた原稿１７をコンタクトガラス１１ｇ上に搬送する。その原稿受け台１１ｆは、本体キャビネット１０ａの上部に設けられている。原稿読取部１１は、蛍光灯１１ｈとミラー１１ｉとレンズ１１ｊと画像センサ１１ｋとを有する。その蛍光灯１１ｈは、コンタクトガラス１１ｇの下方に設けられ、ミラー１１ｉは、蛍光灯１１ｈに照らされたコンタクトガラス１１ｇ上の原稿１７からの反射光を受ける位置に設けられている。また、レンズ１１ｊは、ミラー１１ｉからの反射光の光路に設けられ、画像センサ１１ｋは、そのレンズ１１ｊにより集光された反射光を受光する位置に設けられている。その画像センサ１１ｋは、ＣＣＤ（電荷結合素子）イメージセンサやＣＭＯＳイメージセンサ等の固体撮像素子で構成され、受光した反射光を光電変換して電気信号として出力する。原稿読取部１１には、図示は略すが本体キャビネット１０ａ内にＡ／Ｄ変換基板が設けられており、そのＡ／Ｄ変換基板が画像センサ１１ｋから出力された電気信号をデジタルの画像信号に変換する。この原稿読取部１１では、コンタクトガラス１１ｇ上に搬送された原稿１７を蛍光灯１１ｈで照らし、その反射光をミラー１１ｉおよびレンズ１１ｊを経て画像センサ１１ｋで受光してデジタルの画像信号を生成し、その画像信号に適宜画像処理を施して記憶部（図示せず）に格納する。これが、原稿読取部１１における画像読み取り工程となる。その原稿読取部１１では、画像を読み取った原稿１７を本体キャビネット１０ａの上部に設けられた原稿トレイ１１ｎ上に排出する。また、原稿読取部１１では、分離ローラ１１ａの上方に分離ブレード１１ｍが設けられており、原稿受け台１１ｆにセットされた原稿１７が複数である場合には、分離ブレード１１ｍによりその一番下の一枚（原稿１７）のみを搬送して画像読み取り工程を行う。
【００１１】
製版部１２は、原稿読取部１１による画像読み取り工程と平行して、未製版のマスタ１８すなわち穿孔パターン部が形成されていないマスタ１８に対して穿孔パターン部を形成して製版する。この製版部１２では、記憶部に格納された画像信号、すなわち原稿読取部１１で生成した画像信号に基づいてマスタ１８に穿孔パターン部を形成する。そのマスタ１８は、例えば、熱可塑性樹脂フィルムと、それを支持する多数の孔が設けられた支持体と、を貼り合わせた所謂ラミネート構造とされている。マスタ１８は、芯管１８ａの回りに巻き付けられることでマスタロール１８ｂを形成して設けられている。
【００１２】
製版部１２には、プラテンローラ１２ａと送りローラ対１２ｂ、１２ｃとが、駆動モータによって回転可能とされて設けられている。その製版部１２では、プラテンローラ１２ａと送りローラ対１２ｂ、１２ｃとが適宜回転駆動することにより、マスタロール１８ｂから無穿孔のマスタ１８を引き出す。製版部１２には、プラテンローラ１２ａにサーマルヘッド１２ｄが押し当てられて設けられており、引き出したマスタ１８をサーマルヘッド１２ｄに押し当てる。そのサーマルヘッド１２ｄは、主走査方向に微小の発熱素子（図示せず）が設けられて構成されている。サーマルヘッド１２ｄは、上述した記憶部に格納された画像信号に応じて各発熱素子を選択的に発熱させることで、プラテンローラ１２ａとの間に押し当てたマスタ１８の熱可塑性樹脂フィルムを選択的な位置で適宜溶融により穿ち、画像情報に応じた穿孔パターン部を形成する。このため、製版部１２では、無穿孔のマスタ１８をプラテンローラ１２ａとサーマルヘッド１２ｄとの間に通すことで、記憶部に格納された画像信号すなわち原稿読取部１１で生成した画像信号に基づく穿孔パターン部をマスタ１８に形成して製版する。これが製版部１２における製版工程となる。製版部１２には、給版ローラ対１２ｅ、１２ｆが駆動モータによって回転可能とされて設けられており、製版したマスタ１８を印刷部１３（その後述する印刷ドラム１３ａ）に供給する。また、製版部１２には、プラテンローラ１２ａと送りローラ対１２ｂ、１２ｃとの間にカッター１２ｇが設けられており、後述する給版工程においてカッター１２ｇでマスタ１８を切断することにより、製版したマスタ１８を一定の長さ寸法とする。
【００１３】
印刷部１３は、製版部１２から供給された製版したマスタ１８を外周面に巻き付ける印刷ドラム１３ａを有する。その印刷ドラム１３ａは、円筒形状を呈し、外周面に印刷用のインキの通過を許す多数の開孔が形成（所謂多孔性構造）された版胴が設けられて構成されている。印刷ドラム１３ａは、駆動装置により自身の中心軸線を回転中心として回転することが可能とされている。この印刷ドラム１３ａの内部には、インキローラ１３ｂとドクターローラ１３ｃとが設けられている。そのインキローラ１３ｂは、印刷ドラム１３ａの内周面に接触して回転する。ドクターローラ１３ｃは、そのインキローラ１３ｂと僅かな間隔をおいて配置されており、当該インキローラ１３ｂとの間にインキ溜り１３ｄを形成する。この印刷ドラム１３ａの内周側では、インキ供給ディストリビュータからインキ溜り１３ｄにインキが供給され、インキローラ１３ｂが印刷ドラム１３ａの回転方向と同一方向にその回転速度と同期して回転される。このため、印刷ドラム１３ａでは、その内周面に接触して回転するインキローラ１３ｂによりインキが内周側に供給され、そのインキが各開孔から外周面に滲み出す。
【００１４】
この印刷部１３には、印刷ドラム１３ａの外周面の一部にマスタクランパ１３ｅが設けられている。このマスタクランパ１３ｅは、印刷ドラム１３ａの外周面に対して開閉自在とされており、一定のタイミングで製版部１２から印刷部１３（その印刷ドラム１３ａ）に供給される製版したマスタ１８の先端をクランプ（保持）する。印刷ドラム１３ａでは、矢印Ａ１方向に回転駆動することにより、マスタクランパ１３ｅで先端がクランプ（保持）された製版したマスタ１８が外周面に徐々に巻き付けられる。そのマスタ１８が印刷ドラム１３ａの外周面に完全に巻き付けられて装着された段階で、製版部１２による給版工程が終了する。その印刷ドラム１３ａでは、後述するプレスローラ１３ｆとの協働により、各開孔から滲み出したインキによりマスタ１８が外周面に密着されるとともに、そのマスタ１８の穿孔パターン部からインキが滲み出す。この印刷ドラム１３ａには、給紙部１４から用紙Ｐが送られる。
【００１５】
その給紙部１４は、印刷ドラム１３ａの右方に設けられた給紙台１４ａ上に積載された用紙Ｐを印刷ドラム１３ａに向かって適宜供給（所謂給紙）する。給紙部１４では、給紙コロ１４ｂと分離ローラ対１４ｃ、１４ｄとが回転可能に設けられており、給紙台１４ａに積載されている用紙Ｐのうちの一番上の一枚（用紙Ｐ）をフィードローラ対１４ｅ、１４ｆへ向けて搬送する（矢印Ａ２参照）。以下では、この用紙Ｐが搬送される方向を用紙搬送方向Ａ２という。そのフィードローラ対１４ｅ、１４ｆは、印刷ドラム１３ａの回転と同期した所定のタイミングで回転駆動され、搬送された用紙Ｐを印刷ドラム１３ａとプレスローラ１３ｆとの間へと送り出す。
【００１６】
そのプレスローラ１３ｆは、印刷部１３において印刷ドラム１３ａの下方で印刷ドラム１３ａと対向配置され、自身の中心軸線を回転中心として回転することが可能とされている。プレスローラ１３ｆは、変位機構により、印刷ドラム１３ａ（その外周面）に押し付けることと、その印刷ドラム１３ａ（外周面）から離れることと、が可能とされて支持されている。そのプレスローラ１３ｆは、通常は印刷ドラム１３ａから離れた位置に置かれていて、印刷ドラム１３ａとの間に用紙Ｐが到達すると変位機構により持ち上げられて印刷ドラム１３ａの外周面に押し付けられる。このため、印刷ドラム１３ａとプレスローラ１３ｆとの間に供給された用紙Ｐは、印刷ドラム１３ａの外周面に装着されたマスタ１８に押し付けられ、そのマスタ１８の穿孔パターン部から滲み出したインキが移転される。これにより、用紙Ｐには、マスタ１８の穿孔パターン部が形作る画像に対応するインキ画像が印刷（印刷画像が形成）される。これにより、印刷部１３における印刷工程が終了する。このため、印刷部１３は、用紙Ｐに印刷画像を形成する画像形成機構として機能する。その印刷画像が形成された用紙Ｐは、排紙部１５へと送られる。
【００１７】
その排紙部１５は、剥離爪１５ａと搬送ユニット１５ｂとを有する。その剥離爪１５ａは、印刷ドラム１３ａ（その外周面）に接近した位置で固定されて設けられており、インキにより印刷ドラム１３ａ（マスタ１８）に貼り付いた用紙Ｐを印刷ドラム１３ａの回転に伴って引き剥がす。搬送ユニット１５ｂは、吸着排紙入口ローラ１５ｃと吸着排紙出口ローラ１５ｄとに掛け渡された搬送ベルト１５ｅと、この搬送ベルト１５ｅの下方に配置された吸着用ファン１５ｆと、を有する。この搬送ユニット１５ｂは、印刷ドラム１３ａ（マスタ１８）から引き剥がされた用紙Ｐを、吸着用ファン１５ｆの吸引により搬送ベルト１５ｅ上に押し付けつつその搬送ベルト１５ｅを移動させることにより、後述する排紙収容装置３０へと排出すべく搬送する（矢印Ｃｄ参照）。以下では、この用紙Ｐが搬送されて排出される方向を用紙排出方向Ｃｄという。この搬送ユニット１５ｂは、用紙Ｐの排出（搬送）速度の調節が可能とされており、印刷ドラム１３ａの回転速度すなわち印刷速度に合わせることができる。
【００１８】
搬送ユニット１５ｂでは、搬送ベルト１５ｅによる用紙Ｐの排出（搬送）経路上に腰付け部材１５ｇが設けられている。その腰付け部材１５ｇは、搬送している用紙Ｐを用紙排出方向Ｃｄで見て湾曲した状態とすべくＵ字形に変形させることにより、用紙Ｐにおける見かけ上の腰の強さを高める。腰付け部材１５ｇでは、用紙Ｐにおける湾曲の度合いを、用紙Ｐの種類に応じて適宜変更することが可能とされている。
【００１９】
この搬送ユニット１５ｂは、剥離爪１５ａにより印刷ドラム１３ａ（マスタ１８）から引き剥がされた用紙Ｐを、腰付け部材１５ｇでＵ字形に変形させて用紙排出方向Ｃｄで排紙収容装置３０（その排紙台３１）上に排出する。その排紙収容装置３０は、排紙部１５（その搬送ユニット１５ｂ）から排出された印刷画像が形成された用紙Ｐ、すなわち印刷を終了した用紙Ｐを順次積載して収納する。この排紙収容装置３０の構成に関しては、後に詳細に説明する。このことから、排紙部１５は、印刷画像が形成された用紙Ｐを、用紙排出方向Ｃｄに排出する用紙排出機構として機能する。
【００２０】
排版部１６は、剥離ローラ対１６ａ、１６ｂと剥離コロ対１６ｃ、１６ｄと搬送ベルト対１６ｅ、１６ｆと排版ボックス１６ｇと圧縮板１６ｈと、を有する。その搬送ベルト対１６ｅ、１６ｆは、それぞれ剥離ローラ対１６ａ、１６ｂと剥離コロ対１６ｃ、１６ｄとに掛け渡されて設けられている。排版ボックス１６ｇは、搬送ベルト対１６ｅ、１６ｆの端部に設けられている。圧縮板１６ｈは、その排版ボックス１６ｇの上方で上下方向に移動可能に設けられている。その搬送ベルト対１６ｅ、１６ｆは、印刷ドラム１３ａ（その外周面）に巻き付けられた使用済みのマスタ１８を、印刷ドラム１３ａにおける矢印Ａ１とは反対方向への回転に伴って当該印刷ドラム１３ａから剥離させて排版ボックス１６ｇへと排出する。その排版ボックス１６ｇでは、圧縮板１６ｈが下方へと移動されることにより、排出された使用済みのマスタ１８が圧縮処理される。
【００２１】
この孔版印刷装置１０では、本体キャビネット１０ａの原稿受け台１１ｆにセットされた原稿１７に対して原稿読取部１１で画像読み取り工程を行い、それに基づき製版部１２で製版工程を行う。このとき、孔版印刷装置１０では、印刷ドラム１３ａに巻き付けられた使用済みのマスタ１８を排版部１６に排出し（排版工程）、原稿読取部１１からの画像信号に基づくマスタ１８を製版部１２で製版し（製版工程）、その製版済みのマスタ１８を印刷ドラム１３ａに巻き付ける（給版工程）。また、孔版印刷装置１０では、印刷時において、印刷ドラム１３ａに巻き付けられたマスタ１８と同期をとって給紙部１４から用紙Ｐが送り出され（給紙工程）、その用紙Ｐがプレスローラ１３ｆにより印刷ドラム１３ａのマスタ１８に押し付けられる。これにより、印刷ドラム１３ａの内部のインキがマスタ１８を介して用紙Ｐに至り、その用紙Ｐに画像（印刷画像）が形成される（印刷工程）。そのうちの最初の印刷は、印刷ドラム１３ａ（その外周面）から滲み出たインキの粘着力より、当該印刷ドラム１３ａ（外周面）に製版済みのマスタ１８を密着させる所謂版付け印刷となる。この給紙工程および印刷工程により印刷画像が形成された用紙Ｐは、排紙部１５（その搬送ユニット１５ｂ）により、排紙収容装置３０（その排紙台３１）上に排出され（排紙工程）、順次積載されて収納される。孔版印刷装置１０では、制御部（図１２の符号８１参照）の制御下において、原稿読取部１１と製版部１２と印刷部１３と給紙部１４と排紙部１５と排版部１６とが適宜駆動されることにより、上述した一連の動作が実行される。
【００２２】
その排紙収容装置３０は、図１および図２に示すように、排紙台３１上に、排紙エンドフェンス３２と１対の排紙サイドフェンス３３とが設けられて構成されている。排紙収容装置３０（その排紙台３１）は、排紙部１５（その搬送ユニット１５ｂ）から用紙Ｐが排出される用紙排出方向Ｃｄに対応して、本体キャビネット１０ａ（排紙部１５）に対する位置関係が決定されている。その排紙台３１は、排紙部１５（その搬送ユニット１５ｂ）から排出された用紙Ｐを積載して収納する箇所を構成するものであり、全体に平坦な板状を呈する。排紙台３１は、平坦な上面で用紙Ｐを積載する排紙載置面３１ａを形成している。この排紙台３１は、本体キャビネット１０ａに対して折り畳むことが可能とされている。
【００２３】
その排紙台３１では、図２に示すように、排紙載置面３１ａにサイド側レール部材３４が設けられている。そのサイド側レール部材３４は、排紙載置面３１ａにおける用紙排出方向Ｃｄで見た中間位置において、その用紙排出方向Ｃｄと直交する排出直交方向Ｒｄと平行に伸びて設けられている。サイド側レール部材３４は、後述するように１対の排紙サイドフェンス３３の排紙台３１（その排紙載置面３１ａ）上での排出直交方向Ｒｄの移動を可能とするものである。このため、サイド側レール部材３４は、排出直交方向Ｒｄに伸びて排紙台３１に設けられたレール部材として機能する。このサイド側レール部材３４の構成については、後に詳細に説明する。
【００２４】
なお、以下の説明では、排出直交方向Ｒｄにおいて、排紙台３１の排紙載置面３１ａにおける中心位置へと向かう方向を排出直交方向Ｒｄ内側とし、その反対側を排出直交方向Ｒｄ外側とする。同様に、用紙排出方向Ｃｄにおいて、排紙台３１の排紙載置面３１ａにおける中心位置へと向かう方向を用紙排出方向Ｃｄ内側とし、その反対側を用紙排出方向Ｃｄ外側とする。ここで、サイド側レール部材３４は、排出直交方向Ｒｄと平行に伸びて設けられていることから、両端位置から用紙排出方向Ｃｄ内側を見ると互いに対向することとなる。また、用紙排出方向Ｃｄおよび排出直交方向Ｒｄと直交する方向、すなわち用紙排出方向Ｃｄおよび排出直交方向Ｒｄを含む面に直交する方向を上下方向Ｕｄとし、図２を正面視して上側を上下方向Ｕｄ上側とし、その反対側を上下方向Ｕｄ下側とする。加えて、以下の説明では、サイド側レール部材３４および後述するサイド側スライダ部材３８を個別に説明する際にも、そのサイド側スライダ部材３８がサイド側レール部材３４に取り付けられた状態（図２に示す状態）における上述した各方向（Ｃｄ、Ｒｄ、Ｕｄ）を用いることとする。
【００２５】
また、排紙台３１では、排紙載置面３１ａにエンド側レール部材３５が設けられている。そのエンド側レール部材３５は、排紙載置面３１ａにおける排出直交方向Ｒｄで見た中間位置において、用紙排出方向Ｃｄと平行に伸びて設けられている。エンド側レール部材３５は、排紙エンドフェンス３２の排紙台３１（その排紙載置面３１ａ）上での用紙排出方向Ｃｄの移動を可能とするものである。このエンド側レール部材３５は、伸びる方向が異なることを除くと、サイド側レール部材３４と同様の構成とされていることから、詳細な説明は省略する。この排紙台３１の排紙載置面３１ａに排紙エンドフェンス３２が設けられている。
【００２６】
その排紙エンドフェンス３２は、用紙排出方向Ｃｄで見て、排紙載置面３１ａにおける排紙部１５（その搬送ユニット１５ｂ）側すなわち排出される用紙Ｐが移動する用紙排出方向Ｃｄの下流側の端部に設けられている（図１参照）。排紙エンドフェンス３２は、全体に平坦な板状を呈し、排紙載置面３１ａから起立して、すなわち排紙載置面３１ａに対して直交する方向へと当該排紙載置面３１ａから伸びて設けられている。この排紙エンドフェンス３２は、用紙排出方向Ｃｄに直交して設けられており、排紙部１５（その搬送ユニット１５ｂ）から排出されることで用紙排出方向Ｃｄへと移動する用紙Ｐの先端（用紙排出方向Ｃｄに移動する際の前側の端部）が当たることが可能とされている。このため、排紙エンドフェンス３２は、排紙部１５（その搬送ユニット１５ｂ）から排紙台３１上に排出された用紙Ｐの、排紙台３１上における用紙排出方向Ｃｄでの位置を決定する機能を有する。換言すると、排紙エンドフェンス３２は、排紙載置面３１ａ（排紙台３１上）における用紙排出方向Ｃｄでの用紙Ｐの積載位置を規制する機能を有する。
【００２７】
この排紙エンドフェンス３２は、実施例１では、エンド側レール部材３５の伸びる方向へと移動自在に設けられたエンド側スライダ部材３６を介して、排紙台３１（排紙載置面３１ａ）に設けられている。そのエンド側スライダ部材３６は、エンド側レール部材３５に対して移動自在とされる構成が、後述するサイド側スライダ部材３８のサイド側レール部材３４に対して移動自在とされる構成と同様であることから、詳細な説明は省略する。なお、エンド側スライダ部材３６では、後述するようにサイド側スライダ部材３８に設けられる固定爪部材３９と同様の固定爪部材が設けられている。図２では、理解容易のために、当該固定爪部材に固定爪部材３９と同様の符号を付して示している。
【００２８】
この排紙エンドフェンス３２は、排紙部１５（その搬送ユニット１５ｂ）から排出される用紙Ｐすなわち印刷済みの用紙Ｐの大きさ寸法に応じて、排紙台３１（排紙載置面３１ａ）における用紙排出方向Ｃｄでの位置が適宜設定される。排紙エンドフェンス３２では、排紙部１５（その搬送ユニット１５ｂ）から排出される各用紙Ｐが当たり、当該排紙エンドフェンス３２（その内側面）に沿って用紙Ｐを落下させる。これにより、排紙エンドフェンス３２では、排紙部１５（その搬送ユニット１５ｂ）から排出される各用紙Ｐの、排紙台３１（排紙載置面３１ａ）における用紙排出方向Ｃｄでの位置を、揃えることができる。なお、排紙エンドフェンス３２は、実施例１では排紙載置面３１ａ（排紙台３１）に対して直交して設けられていたが、上記した各用紙Ｐの用紙排出方向Ｃｄでの位置を揃えることを可能とするものであれば、排紙載置面３１ａに対して用紙排出方向Ｃｄの内側もしくは外側のいずれか一方に傾斜して設けられていても良く、実施例１に限定されるものではない。
【００２９】
また、排紙エンドフェンス３２では、排出直交方向Ｒｄで見た両側の下端部に切欠部３２ａが設けられている。この切欠部３２ａは、用紙排出方向Ｃｄでの排紙エンドフェンス３２の位置の設定により、当該排紙エンドフェンス３２が１対の排紙サイドフェンス３３の間に位置された場合であっても、後述するように各排紙サイドフェンス３３の下方に設けられる用紙支持部材３７との干渉を防止する。このため、排紙エンドフェンス３２では、排紙部１５（その搬送ユニット１５ｂ）から排出される各用紙Ｐのサイズが小さい場合であっても、当該用紙Ｐの排紙台３１（排紙載置面３１ａ）における用紙排出方向Ｃｄでの位置を適切に揃えることができる。この排紙台３１の排紙載置面３１ａには、一対の排紙サイドフェンス３３が設けられている。
【００３０】
その排紙サイドフェンス３３は、排紙台３１の排紙載置面３１ａにおける排出直交方向Ｒｄで見た両端部で対を為して設けられている。各排紙サイドフェンス３３は、全体に平坦な板状を呈し、排出直交方向Ｒｄ内側の面で平坦な排紙ガイド面３３ａを形成する。この各排紙サイドフェンス３３は、排紙載置面３１ａから起立して、すなわち排紙載置面３１ａに対して直交する方向へと当該排紙載置面３１ａから伸びて設けられており、互いの排紙ガイド面３３ａが排出直交方向Ｒｄに直交しつつ当該排出直交方向Ｒｄで対向されている。このため、この１対の排紙サイドフェンス３３では、それぞれの排紙ガイド面３３ａが、排紙部１５（その搬送ユニット１５ｂ）から排出される用紙Ｐにおける排出直交方向Ｒｄで見た両側縁と平行とされている。各排紙サイドフェンス３３では、排紙部１５（その搬送ユニット１５ｂ）から排出される各用紙Ｐに排紙ガイド面３３ａを当てて、その排紙ガイド面３３ａに沿って用紙Ｐを落下させる。このため、１対の排紙サイドフェンス３３は、排紙部１５（その搬送ユニット１５ｂ）から排紙台３１上に排出された用紙Ｐの、排紙台３１（排紙載置面３１ａ）における排出直交方向Ｒｄでの位置を決定することができる。
【００３１】
この各排紙サイドフェンス３３には、複数の開口部３３ｂが設けられている。その各開口部３３ｂは、排紙サイドフェンス３３を排出直交方向Ｒｄに貫通して形成されている。各開口部３３ｂは、排紙サイドフェンス３３（その排紙ガイド面３３ａ）に沿って用紙Ｐが落下する際、当該用紙Ｐの下方の空気を排紙サイドフェンス３３よりも排出直交方向Ｒｄ外側へと逃がす。これにより、用紙Ｐを、安定した姿勢で排紙サイドフェンス３３（その排紙ガイド面３３ａ）に沿って円滑に落下させることができる。
【００３２】
その各排紙サイドフェンス３３では、下方に用紙支持部材３７が設けられている。その用紙支持部材３７は、排紙サイドフェンス３３の排紙ガイド面３３ａから、排出直交方向Ｒｄ内側へと向かうに連れて下方（排紙台３１の排紙載置面３１ａ）へと向かう用紙受面３７ａを形成する。用紙支持部材３７は、実施例１では、用紙排出方向Ｃｄで見ると直角三角形となる三角柱状を呈し、用紙排出方向Ｃｄで見た両端に支持片部３７ｂが設けられている。この各支持片部３７ｂは、上下逆さまのＵ字状を呈し、排紙サイドフェンス３３の用紙排出方向Ｃｄで見た両端から当該用紙排出方向Ｃｄに突出された突起軸３３ｃに引っ掛けることが可能とされている。この用紙支持部材３７は、各突起軸３３ｃの上方から対応する支持片部３７ｂをそれぞれ引っ掛けることにより、排紙サイドフェンス３３の下方に設けられる。
【００３３】
用紙支持部材３７は、対を為す排紙サイドフェンス３３のそれぞれの下方に設けられることにより、排紙台３１の排紙載置面３１ａにおける排出直交方向Ｒｄの両外側に、外側に向かうに連れて上方へ向けて傾斜する用紙受面３７ａを連続させる。このため、排紙台３１では、排紙載置面３１ａと両用紙受面３７ａとが連続する面とされて、用紙Ｐを積載する箇所が形成される。これにより、排紙台３１では、排紙載置面３１ａに積載された用紙Ｐにおける排出直交方向Ｒｄの両外側を持ち上げて、すなわち用紙Ｐを用紙排出方向Ｃｄで見てＵ字形に湾曲させて積載して収容する。このため、排紙台３１では、良好に排出直交方向Ｒｄでの位置を揃えて用紙Ｐを積載することができる。
【００３４】
この用紙支持部材３７は、上記した構成であることから、各排紙サイドフェンス３３に対して上方へと持ち上げることにより、当該各排紙サイドフェンス３３から取外すことができる。このため、後述するように各排紙サイドフェンス３３を折り畳むこと（図８参照）を阻害することを防止することができる。また、用紙支持部材３７を取外すことにより、排紙台３１における用紙Ｐを積載する箇所を、平坦な排紙載置面３１ａのみとすることができる。このため、排紙台３１では、例えば、用紙Ｐが厚紙のようにＵ字形に湾曲させる必要がないものであっても、良好に位置を揃えて積載することができる。
【００３５】
この各排紙サイドフェンス３３は、実施例１では、サイド側スライダ部材３８を介して排紙台３１（排紙載置面３１ａ）に設けられている。そのサイド側スライダ部材３８は、実施例１では、図３から図５に示すように、全体に直方体形状を呈し、中央近傍にレール案内溝３８ａ（図４等参照）が設けられている。そのレール案内溝３８ａは、サイド側スライダ部材３８を排出直交方向Ｒｄに貫通して設けられており、排出直交方向Ｒｄで見た断面形状がサイド側レール部材３４と一致するものとされている。このため、レール案内溝３８ａは、サイド側レール部材３４を通すことを許しつつ、サイド側レール部材３４が通されるとサイド側スライダ部材３８が当該サイド側レール部材３４に対してその伸びる方向のみに移動することが可能とする。
【００３６】
また、サイド側スライダ部材３８では、上面で被設置面３８ｂを形成している。その被設置面３８ｂは、排紙サイドフェンス３３（その後述する設置用基部４２）を設置する箇所を構成するとともに、その排紙サイドフェンス３３における設置用基部４２の設置底面４２ｂとの間隔が調整される面（箇所）を構成する。被設置面３８ｂは、実施例１では、平坦な面とされている。
【００３７】
加えて、サイド側スライダ部材３８には、１対の支持脚部用穴３８ｃ（図３から図５では一方のみを示す）と、ネジ穴３８ｄ（図３参照）と、が設けられている。その支持脚部用穴３８ｃは、用紙排出方向Ｃｄで対を為して設けられており、互いに等しい構成とされている。各支持脚部用穴３８ｃは、サイド側スライダ部材３８を被設置面３８ｂに直交する方向に貫通して形成されており、実施例１ではその貫通する方向で見た断面形状が矩形状とされている。この各支持脚部用穴３８ｃは、後述する支持脚部材４４を通すことを許すとともに、その通した支持脚部材４４が貫通する方向のみに移動することを可能とする大きさ寸法とされている。
【００３８】
ネジ穴３８ｄは、被設置面３８ｂを開口しつつ当該被設置面３８ｂに直交する方向にサイド側スライダ部材３８を穿って形成されている。そのネジ穴３８ｄは、用紙排出方向Ｃｄで見て１対の支持脚部用穴３８ｃの中央であって、排出直交方向Ｒｄで見て両支持脚部用穴３８ｃよりも外側の位置に設けられている。ネジ穴３８ｄは、内周面にネジ溝が設けられており、後述するネジ部材４７の軸部４７ｂを受け入れつつそのネジ山と噛み合わせることが可能とされている。
【００３９】
さらに、サイド側スライダ部材３８には、１対の固定爪部材３９が設けられている。この１対の固定爪部材３９は、図５に示すように、サイド側スライダ部材３８の固定爪用凹所３８ｅに設けられている。その固定爪用凹所３８ｅは、サイド側スライダ部材３８における排出直交方向Ｒｄ外側であってレール案内溝３８ａの上方に設けられており、当該レール案内溝３８ａに連続する直方体形状の空間を形成している。固定爪部材３９は、全体に長尺な棒状の部材が折り曲げられて形成されており、用紙排出方向Ｃｄで見た中心位置を通り当該用紙排出方向Ｃｄに直交する平面に関して対象とされて対を為している。
【００４０】
各固定爪部材３９は、把持部３９ａとそこに連なる被操作部３９ｂとを有し、後述する固定爪回転軸３８ｆを介して固定爪用凹所３８ｅに取り付けられている。その各把持部３９ａは、サイド側レール部材３４における用紙排出方向Ｃｄで見た両側縁部（後述する固定歯３４ｃ）と並列することが可能とされ（図６参照）、かつ固定爪用凹所３８ｅの内方においてサイド側レール部材３４との接触を回避することが可能とされている。各把持部３９ａでは、先端に固定爪３９ｃが設けられている。この各固定爪３９ｃは、排出直交方向Ｒｄで見た外側に臨む平面３９ｄを形成しており、サイド側レール部材３４の後述する固定歯３４ｃ（そのいずれかの凹凸）と噛み合うことが可能とされている（図６参照）。各固定爪３９ｃは、固定歯３４ｃと噛み合うと、それぞれの平面３９ｄが排出直交方向Ｒｄで固定歯３４ｃが形成する平面３４ｄと当たることにより、固定歯３４ｃすなわちサイド側レール部材３４に対して排出直交方向Ｒｄ外側へと変位することを防止する（図６参照）。
【００４１】
各被操作部３９ｂは、各固定爪部材３９が後述する固定爪回転軸３８ｆを介して固定爪用凹所３８ｅに取り付けられた状態において、固定爪用凹所３８ｅから外方に突出する（図２から図４参照）。この各被操作部３９ｂは、サイド側レール部材３４の上方において排出直交方向Ｒｄで見た外側へと伸びており、固定爪部材３９すなわちサイド側スライダ部材３８の排出直交方向Ｒｄへの変位に拘らずサイド側レール部材３４と干渉することが防止されている（図６参照）。
【００４２】
この各固定爪部材３９では、把持部３９ａと被操作部３９ｂとの境目に設けられた回転軸穴３９ｅに固定爪回転軸３８ｆが通されて、固定爪用凹所３８ｅに取り付けられる。その各固定爪回転軸３８ｆは、サイド側スライダ部材３８の固定爪用凹所３８ｅにおいて用紙排出方向Ｃｄで間隔をおいて設けられており、固定爪用凹所３８ｅの上面に固定されている。各固定爪回転軸３８ｆは、上下方向Ｕｄと平行に固定爪用凹所３８ｅの上面から下方へ向けて突出して形成されている。各固定爪部材３９では、回転軸穴３９ｅに対応する固定爪回転軸３８ｆを通した上で、その固定爪回転軸３８ｆの先端（下方の端部）に止め輪を設けることで、固定爪回転軸３８ｆの軸線方向での抜け止めが為されている。このため、１対の固定爪部材３９は、それぞれが対応する固定爪回転軸３８ｆを回転中心として回転することが可能とされている。
【００４３】
さらに、各固定爪部材３９では、把持部３９ａにフック３９ｆが設けられており、その両フック３９ｆを掛け渡して引張コイルバネ４１が設けられている。その引張コイルバネ４１は、螺旋状とされた線材により構成され、両端に環状の引掛部が設けられている。引張コイルバネ４１は、無負荷状態において最も縮み、一端側の引掛部と他端側の引掛部とを引き離す動作に抗する弾性力を発揮する。その引張コイルバネ４１は、各引掛部が対応するフック３９ｆに引っ掛けられることにより、両フック３９ｆを掛け渡して設けられている。このため、１対の固定爪部材３９では、何らの力が加えられていない状態では、引張コイルバネ４１の弾性力により固定爪回転軸３８ｆを回転中心として回転することで、両把持部３９ａの固定爪３９ｃが互いに接近する。また、１対の固定爪部材３９では、引張コイルバネ４１の弾性力に抗して固定爪回転軸３８ｆを回転中心として回転させて両被操作部３９ｂを近付けることで、両把持部３９ａの固定爪３９ｃを互いに引き離すことができる。
【００４４】
このサイド側スライダ部材３８が取り付けられるサイド側レール部材３４は、上述したように、排紙台３１の排紙載置面３１ａにおける用紙排出方向Ｃｄで見た中間位置において排出直交方向Ｒｄと平行に伸びて設けられている。このサイド側レール部材３４は、実施例１では、排紙台３１の排紙載置面３１ａに設けられたレール用溝３１ｂに設けられている。そのレール用溝３１ｂは、排紙載置面３１ａを部分的に上下方向Ｕｄ下側へと凹ませつつ排出直交方向Ｒｄと平行に伸びて排紙台３１に形成されている。
【００４５】
サイド側レール部材３４は、実施例１では、排紙載置面３１ａと並列する板状を呈するレール本体部３４ａと、そのレール本体部３４ａを排紙台３１のレール用溝３１ｂに取り付けるレール取付部３４ｂと、を有する（図６等参照）。サイド側レール部材３４では、レール本体部３４ａにおける用紙排出方向Ｃｄで見た両側縁部に固定歯３４ｃが設けられている。この固定歯３４ｃは、排出直交方向Ｒｄ内側に臨む複数の平面３４ｄを形成するとともにその各平面３４ｄの間を傾斜面で繋ぐ複数の凹凸（ギザギザ）が連続されて構成された所謂鋸歯状を呈する。このため、固定歯３４ｃは、用紙排出方向Ｃｄで見た中心位置を通り当該用紙排出方向Ｃｄに直交する平面に関して対象な形状とされている。また、固定歯３４ｃは、排出直交方向Ｒｄで見た中央位置を境とする両側で、各平面３４ｄの向き（複数の凹凸（ギザギザ）の向き）が反対とされている、すなわち排出直交方向Ｒｄで見た中心位置を通り当該排出直交方向Ｒｄに直交する平面に関して対象な形状とされている。このため、固定歯３４ｃは、各固定爪部材３９の固定爪３９ｃとの協働により、サイド側レール部材３４に対を為して取り付けられた各サイド側スライダ部材３８が、排出直交方向Ｒｄ外側へと移動することを防止することができる。レール取付部３４ｂは、排紙台３１の排紙載置面３１ａに設けられたレール用溝３１ｂの底面に固定されている。
【００４６】
このサイド側レール部材３４を介して、排紙台３１に各サイド側スライダ部材３８が取り付けられる。すなわち、各サイド側スライダ部材３８は、図２から図５に示すように、レール案内溝３８ａでサイド側レール部材３４を受け入れることにより、そのサイド側レール部材３４の伸びる方向すなわち排出直交方向Ｒｄへと移動自在に排紙台３１（その排紙載置面３１ａ）に取り付けられる。その各サイド側スライダ部材３８では、上述したように、固定爪回転軸３８ｆを介して固定爪用凹所３８ｅに１対の各固定爪部材３９が取り付けられている。その各固定爪部材３９では、引張コイルバネ４１の弾性力に抗して両被操作部３９ｂを近付けることで、互いの間隔が拡げられた両把持部３９ａの固定爪３９ｃの間に、レール案内溝３８ａに通されたサイド側レール部材３４を通す。そして、１対の固定爪部材３９では、図６に示すように、両被操作部３９ｂを近付ける操作を解除すると、引張コイルバネ４１の弾性力により両把持部３９ａ（固定爪３９ｃ）が互いに接近する。すると、１対の固定爪部材３９では、両把持部３９ａでサイド側レール部材３４（そのレール本体部３４ａ）を用紙排出方向Ｃｄで挟み込むように把持することができる。このとき、１対の固定爪部材３９では、その各固定爪３９ｃがサイド側レール部材３４の固定歯３４ｃと噛み合うことで、固定爪回転軸３８ｆを回転中心とする回転が阻止される。この噛み合いにより、１対の固定爪部材３９が設けられた各サイド側スライダ部材３８は、固定歯３４ｃすなわちサイド側レール部材３４に対して排出直交方向Ｒｄ外側へと向かうことが防止される。なお、各サイド側スライダ部材３８は、固定歯３４ｃおよび両固定爪３９ｃの形状から、サイド側レール部材３４に対して排出直交方向Ｒｄ内側へと向かうことは許容されている。
【００４７】
また、各サイド側スライダ部材３８では、対を為す固定爪部材３９において、固定爪用凹所３８ｅから外方に突出する各被操作部３９ｂを互いに近付けることにより、その各固定爪３９ｃが固定歯３４ｃに噛み合った状態を解除することができる。このため、各サイド側スライダ部材３８では、両被操作部３９ｂを互いに近付けることにより、サイド側レール部材３４に対して排出直交方向Ｒｄ外側へと移動させることが可能となる。このように、サイド側スライダ部材３８がサイド側レール部材３４に移動自在に設けられた状態において、サイド側スライダ部材３８の被設置面３８ｂが排紙台３１の排紙載置面３１ａと平行な位置関係となる（図３および図４等参照）。この各サイド側スライダ部材３８は、排出直交方向Ｒｄで対を為す排紙サイドフェンス３３に対応して排出直交方向Ｒｄで対を為して設けられている。そして、両サイド側スライダ部材３８は、実施例１では、図示を略すラックアンドピニオン機構によって連結されており、何れか一方を移動させると他方も連動（一方を外側へ移動させると他方も外側に移動）するように構成されている。なお、両サイド側スライダ部材３８は、互いに連動することのない構成としてもよい。この各サイド側スライダ部材３８に、排紙サイドフェンス３３が設けられる。
【００４８】
その各排紙サイドフェンス３３では、下方に設置用基部４２が連続されて設けられている。その各設置用基部４２は、対応する排紙サイドフェンス３３におけるサイド側スライダ部材３８の被設置面３８ｂへと設置する箇所を構成する。このため、各設置用基部４２の後述する設置底面４２ｂは、排紙サイドフェンス３３において被設置面３８ｂへと押し付けられる設置底面となる。各設置用基部４２は、実施例１では、六面体形状とされており、用紙排出方向Ｃｄで見ると台形状を呈する。その設置用基部４２は、用紙排出方向Ｃｄで見ると、サイド側スライダ部材３８よりも小さな幅寸法（大きさ寸法）とされている。設置用基部４２では、平坦な上面４２ａに排紙サイドフェンス３３が固定されており、上面４２ａに対して排紙サイドフェンス３３の排紙ガイド面３３ａが直交する位置関係とされている（図３等参照）。
【００４９】
また、各設置用基部４２では、上面４２ａの反対側の面で設置底面４２ｂを形成している。その設置底面４２ｂは、排出直交方向Ｒｄで見て排紙載置面３１ａにおける中央から外側へと向かうに連れて上面４２ａとの距離を小さくするように、上面４２ａに対して傾斜している。このため、設置用基部４２では、排紙台３１（その排紙載置面３１ａ）に対して排紙サイドフェンス３３（その排紙ガイド面３３ａ）を直交させた状態でサイド側スライダ部材３８の被設置面３８ｂに設けることとすると、設置底面４２ｂにおける排出直交方向Ｒｄ内側の端部（符号４２ｃ参照）が、サイド側スライダ部材３８の被設置面３８ｂに接触することとなる。以下では、この端部を接触端部４２ｃとする。その設置用基部４２では、上述した状態において接触端部４２ｃを被設置面３８ｂに接触させると、設置底面４２ｂにおける接触端部４２ｃを除く箇所が当該被設置面３８ｂと間隔を置くこととなる。以下では、設置底面４２ｂにおける接触端部４２ｃを除く箇所において、排出直交方向Ｒｄ外側の端部に相当する箇所を対向箇所４２ｄとする。
【００５０】
この設置用基部４２では、接触端部４２ｃよりも排出直交方向Ｒｄ外側であって当該排出直交方向Ｒｄの中間位置に回転軸穴４２ｅ（図５参照）が設けられている。その回転軸穴４２ｅは、設置用基部４２において、対向箇所４２ｄよりも排出直交方向Ｒｄ内側に位置するものとされている。回転軸穴４２ｅは、設置用基部４２を用紙排出方向Ｃｄに貫通して設けられており、用紙排出方向Ｃｄに直交する断面が円形状とされてサイドフェンス回転軸４３を回転可能に嵌め入れることを許す大きさ寸法とされている。そのサイドフェンス回転軸４３は、長尺な円柱形状を呈する部材であり、その軸線方向が用紙排出方向Ｃｄと平行とされている。サイドフェンス回転軸４３は、用紙排出方向Ｃｄで見た長さ寸法が、用紙排出方向Ｃｄで見た設置用基部４２の幅寸法よりも大きく設定されている。このため、設置用基部４２では、サイドフェンス回転軸４３を回転軸穴４２ｅで受け入れた状態において、用紙排出方向Ｃｄで見た両側からサイドフェンス回転軸４３を突出させることができる。この設置用基部４２は、回転軸穴４２ｅでサイドフェンス回転軸４３を受け入れた状態において、当該サイドフェンス回転軸４３に対してその回転軸線を回転中心として回転することが可能となる。設置用基部４２は、回転軸穴４２ｅに通したサイドフェンス回転軸４３を介して１対の支持脚部材４４により支持されている。
【００５１】
その支持脚部材４４は、サイドフェンス回転軸４３において設置用基部４２から突出する両端部に対応すべく、用紙排出方向Ｃｄで対を為して設けられている。各支持脚部材４４は、断面が矩形状を呈する角柱部材で形成されている。この各支持脚部材４４は、サイド側スライダ部材３８に設けられた支持脚部用穴３８ｃに対して、その軸線方向に移動することのみを可能としつつ通すことが可能な大きさ寸法および形状とされている。各支持脚部材４４には、一端に回転軸穴４４ａが設けられ、他端にバネ受鍔部４４ｂが設けられている。その回転軸穴４４ａは、サイドフェンス回転軸４３を通すことを可能とする形状および大きさ寸法とされている。バネ受鍔部４４ｂは、支持脚部材４４の軸線方向に直交する面と平行な板状を呈する。このバネ受鍔部４４ｂは、支持脚部材４４の外周面から全周に渡り突出されており、支持脚部材４４に設けられる圧縮コイルバネ４５が抜け落ちることを防止する。
【００５２】
その圧縮コイルバネ４５は、螺旋状とされた線材により構成され、両端に環状の座巻部が設けられている。圧縮コイルバネ４５は、支持脚部材４４を取り巻くことを可能としつつ、当該支持脚部材４４のバネ受鍔部４４ｂよりも小さな内径寸法とされている。また、圧縮コイルバネ４５は、サイド側スライダ部材３８に設けられた支持脚部用穴３８ｃの内径寸法よりも大きい外径寸法とされている。この圧縮コイルバネ４５は、無負荷状態において最も伸びて、両端の座巻部を接近させる動作に抗する弾性力を発揮する。
【００５３】
各圧縮コイルバネ４５は、内方にそれぞれが対応する支持脚部材４４を受け入れて、一方の座巻部を当該支持脚部材４４のバネ受鍔部４４ｂに宛がって、当該支持脚部材４４に設けられる。その各支持脚部材４４は、圧縮コイルバネ４５が設けられた状態において、回転軸穴４４ａが設けられた一端側がサイド側スライダ部材３８の下方から支持脚部用穴３８ｃへと挿入され、回転軸穴４４ａがサイド側スライダ部材３８の被設置面３８ｂよりも上方に突出される。その被設置面３８ｂ上において、１対の支持脚部材４４の間に排紙サイドフェンス３３の設置用基部４２を配置し、その回転軸穴４２ｅと両支持脚部材４４の回転軸穴４４ａとの軸線を揃える。そして、サイドフェンス回転軸４３を、一方の支持脚部材４４の回転軸穴４４ａから通し、設置用基部４２の回転軸穴４２ｅを経て、他方の支持脚部材４４の回転軸穴４４ａに通す。そして、両支持脚部材４４の回転軸穴４４ａとサイドフェンス回転軸４３とを固定する。これにより、設置用基部４２すなわち排紙サイドフェンス３３が、両支持脚部材４４に支持されたサイドフェンス回転軸４３を回転中心として回転可能にサイド側スライダ部材３８に設けられる。各圧縮コイルバネ４５は、この状態において、サイド側スライダ部材３８の底面３８ｇとバネ受鍔部４４ｂとの間で圧縮される大きさ寸法とされている。
【００５４】
なお、サイドフェンス回転軸４３は、両支持脚部材４４の回転軸穴４４ａに対して抜け止めされて設けられるものであってもよく、設置用基部４２（その回転軸穴４２ｅ）に固定しつつ両支持脚部材４４の回転軸穴４４ａに対して回転可能に設けられるものであってもよく、上記した構成に限定されるものではない。すなわち、サイドフェンス回転軸４３（その軸線）を回転中心として、設置用基部４２（排紙サイドフェンス３３）とサイド側スライダ部材３８との相対的な回転を可能とするものであればよく、上記した構成に限定されるものではない。
【００５５】
その各サイド側スライダ部材３８には、複数のスペーサ部材４６が設けられる。その各スペーサ部材４６は、サイド側スライダ部材３８の被設置面３８ｂと、その上に設けられる設置用基部４２の設置底面４２ｂと、の間隔を調整するために枚数を適宜変更して積載されるものである。詳細には、上述したように、排紙台３１（その排紙載置面３１ａ）に対して排紙サイドフェンス３３（その排紙ガイド面３３ａ）を直交させた状態で、排紙サイドフェンス３３の設置用基部４２をサイド側スライダ部材３８の被設置面３８ｂに設けることとすると、その設置用基部４２では、接触端部４２ｃが被設置面３８ｂに接触するとともに対向箇所４２ｄが当該被設置面３８ｂと間隔を置くこととなる。この対向箇所４２ｄと被設置面３８ｂとが間隔を置いた状態、すなわち被設置面３８ｂに対して設置底面４２ｂが所定の角度関係となる状態を維持するために、被設置面３８ｂ上で対向箇所４２ｄ（設置底面４２ｂ）との間に複数のスペーサ部材４６が設けられる。
【００５６】
その各スペーサ部材４６は、図４に示すように、平板な板状を呈し、互いに積み重ねることが容易とされている。各スペーサ部材４６は、実施例１では、互いに等しい大きさ寸法とされており、用紙排出方向Ｃｄで見た中間位置に受入溝４６ａが設けられている。その受入溝４６ａは、排出直交方向Ｒｄと平行な方向にスペーサ部材４６における排出直交方向Ｒｄ内側の端部から中間位置まで当該スペーサ部材４６を切り欠いて形成されている。受入溝４６ａは、後述するネジ部材４７の軸部４７ｂを通すことを可能とする幅寸法とされている。このため、各スペーサ部材４６は、その軸部４７ｂを受入溝４６ａの閉鎖された端部となる奥壁端部４６ｂに接触させることにより、サイド側スライダ部材３８の被設置面３８ｂ上での排出直交方向Ｒｄの位置を規定（位置決め）することができる。このスペーサ部材４６は、実施例１では、軸部４７ｂで位置決めされた状態で３枚を積み重ねて、その最も上のスペーサ部材４６に対向箇所４２ｄ（設置底面４２ｂ）が押し当てられると、排紙台３１（その排紙載置面３１ａ）に対して排紙サイドフェンス３３（その排紙ガイド面３３ａ）を直交させる位置関係とする厚さ寸法（上下方向Ｕｄで見た大きさ寸法）とされている（図３参照）。
【００５７】
そのネジ部材４７は、図３に示すように、円板状の頭部４７ａと、そこよりも小さな外径寸法とされた長尺な円柱状の軸部４７ｂと、を有する。その頭部４７ａは、各スペーサ部材４６の受入溝４６ａに通すことのできない外径寸法とされており、軸部４７ｂは、その受入溝４６ａに通すことのできる外径寸法とされている。その軸部４７ｂは、外周面にネジ山が設けられており、サイド側スライダ部材３８のネジ穴３８ｄへの挿入が可能であるとともにそのネジ溝と噛み合わせることが可能とされている。
【００５８】
このネジ部材４７は、サイド側スライダ部材３８の被設置面３８ｂ上に複数のスペーサ部材４６が積み重ねられた状態で、軸部４７ｂが各スペーサ部材４６の受入溝４６ａを経てネジ穴３８ｄ（そのネジ溝）に噛み合わされる。そして、ネジ部材４７は、頭部４７ａに対する締め付け方向への回転操作により、その頭部４７ａとサイド側スライダ部材３８の被設置面３８ｂとにより複数のスペーサ部材４６をきつく挟み込んだ状態とすることができる。これにより、ネジ部材４７は、被設置面３８ｂ上に積み重ねられた複数のスペーサ部材４６を、その積み重なる状態を維持しつつ被設置面３８ｂすなわちサイド側スライダ部材３８に固定することができる。そして、ネジ部材４７は、頭部４７ａに対する締め付け解除方向への回転操作により、頭部４７ａと被設置面３８ｂとで複数のスペーサ部材４６をきつく挟み込んだ状態を解除することができる。これにより、さらにスペーサ部材４６を所望の枚数だけ積み重ねて固定したり、積み重ねた複数のスペーサ部材４６から所望の枚数のスペーサ部材４６を引き抜いて固定したりすることが可能となる。
【００５９】
各排紙サイドフェンス３３に設けられた設置用基部４２は、上述したように両支持脚部材４４に支持されたサイドフェンス回転軸４３を回転中心として回転可能にサイド側スライダ部材３８に設けられている。その両支持脚部材４４は、サイド側スライダ部材３８の支持脚部用穴３８ｃに通されることにより、サイド側スライダ部材３８に対してその被設置面３８ｂに直交する方向のみに移動することが可能とされている。そして、両支持脚部材４４では、サイド側スライダ部材３８の下方において、その底面３８ｇとバネ受鍔部４４ｂとの間に圧縮コイルバネ４５が圧縮されて設けられている。このため、両支持脚部材４４は、圧縮コイルバネ４５の弾性力により、サイド側スライダ部材３８に対して上下方向Ｕｄ下側へと押され、それらに支持されるサイドフェンス回転軸４３は、被設置面３８ｂへと接近する方向へと押されている。これにより、設置用基部４２では、サイドフェンス回転軸４３を介して、サイド側スライダ部材３８の被設置面３８ｂへ向けて押し付ける力が作用している。このため、設置用基部４２は、接触端部４２ｃがサイド側スライダ部材３８の被設置面３８ｂと接触するとともに、対向箇所４２ｄ（設置底面４２ｂ）が被設置面３８ｂ上で最も上方に積み重ねられたスペーサ部材４６と接触した状態で、被設置面３８ｂへと押し付けられて固定される。換言すると、設置用基部４２は、対向箇所４２ｄ（設置底面４２ｂ）と被設置面３８ｂとが所定の間隔を置いた状態、すなわち被設置面３８ｂに対して設置底面４２ｂ（対向箇所４２ｄ）を所定の角度関係とする状態が、複数のスペーサ部材４６により維持される。このことから、圧縮コイルバネ４５は、変形することで排紙サイドフェンス３３（その設置用基部４２）の設置底面４２ｂをサイド側スライダ部材３８の被設置面３８ｂに押し付けて、排紙サイドフェンス３３をサイド側スライダ部材３８に支持させる弾性部材として機能する。
【００６０】
これにより、設置用基部４２が連続して設けられた排紙サイドフェンス３３は、サイド側スライダ部材３８（その被設置面３８ｂ）に固定される。そして、実施例１の排紙サイドフェンス３３では、上述したように、図３から図５および図７（ａ）に示すように３枚のスペーサ部材４６を介して設置用基部４２（その設置底面４２ｂ）がサイド側スライダ部材３８（その被設置面３８ｂ）に固定されると、排紙台３１（その排紙載置面３１ａ）に対して排紙ガイド面３３ａが直交する。そして、排紙サイドフェンス３３では、図７（ｂ）に示すように、被設置面３８ｂ上に積み重ねるスペーサ部材４６の枚数を減らす（図示の例では２枚）ことにより、排紙台３１（その排紙載置面３１ａ）に対して排紙サイドフェンス３３（その排紙ガイド面３３ａ）を、サイドフェンス回転軸４３を回転中心として排出直交方向Ｒｄ外側へと傾けることができる。また、排紙サイドフェンス３３では、図７（ｃ）に示すように、被設置面３８ｂ上に積み重ねるスペーサ部材４６の枚数を増やす（図示の例では４枚）ことにより、排紙台３１（その排紙載置面３１ａ）に対して排紙サイドフェンス３３（その排紙ガイド面３３ａ）を、サイドフェンス回転軸４３を回転中心として排出直交方向Ｒｄ内側へと傾けることができる。すなわち、排紙サイドフェンス３３では、サイド側スライダ部材３８の被設置面３８ｂから設置用基部４２の設置底面４２ｂ（対向箇所４２ｄ）までの間隔を積載したスペーサ部材４６で調整することにより、排紙台３１（その排紙載置面３１ａ）に対する傾き（傾く方向および傾きの大きさ）を調整することができる。このため、実施例１の排紙サイドフェンス３３では、積載されるスペーサ部材４６が、サイド側スライダ部材３８の被設置面３８ｂと設置底面４２ｂ（対向箇所４２ｄ）との間隔を調整する間隔調整機構として機能する。なお、排紙サイドフェンス３３では、上述したように傾きを調整する際、圧縮コイルバネ４５の弾性力による設置用基部４２の被設置面３８ｂへの押し付ける力に抗して排紙サイドフェンス３３自身を傾ける必要がある。
【００６１】
ここで、両排紙サイドフェンス３３では、上述したように、１対の固定爪部材３９の両被操作部３９ｂを近付けてサイド側スライダ部材３８をサイド側レール部材３４上で移動させることにより、排出直交方向Ｒｄで見た位置を調整することができる。また、両排紙サイドフェンス３３では、上述したように、排出直交方向Ｒｄで見た位置を調整した後に両被操作部３９ｂを近付ける操作を解除することにより、サイド側スライダ部材３８のサイド側レール部材３４に対する調整した位置から排出直交方向Ｒｄ外側への移動を防止し固定することができる（図６参照）。そして、両排紙サイドフェンス３３では、この位置の調整およびその固定を行う際、サイド側スライダ部材３８と設置用基部４２との間で積載したスペーサ部材４６に何らの影響が及ぶことはない。このため、各排紙サイドフェンス３３（その排紙ガイド面３３ａ）では、排紙台３１（その排紙載置面３１ａ）に対する傾きの調整の如何に拘らず、印刷画像が形成されて排紙部１５（その搬送ユニット１５ｂ）から排出される用紙Ｐのサイズに合わせて、両排紙サイドフェンス３３の排出直交方向Ｒｄで見た位置を調整して固定することができる。加えて、排紙エンドフェンス３２では、両排紙サイドフェンス３３と同様の構成により用紙排出方向Ｃｄでの位置の調整が可能であることから、用紙Ｐのサイズに合わせて、排紙エンドフェンス３２の用紙排出方向Ｃｄで見た位置を調整して固定することができる。なお、用紙Ｐのサイズに合わせた位置は、孔版印刷装置１０に用いられる用紙の標準的な大きさ寸法および標準的な厚さや画像面積率等に基づいて、予め用紙のサイズ毎に標準位置として把握することができるので、排紙台３１、サイド側レール部材３４またはサイド側スライダ部材３８などに目盛などを設けるものとしてもよい。
【００６２】
この排紙収容装置３０では、排紙部１５（その搬送ユニット１５ｂ（図１参照））から排出される用紙Ｐを、排紙台３１（その排紙載置面３１ａ）において、上述したように位置が調整された排紙エンドフェンス３２と両排紙サイドフェンス３３とで囲まれた領域に積載させて収納する。詳細には、排紙部１５（その搬送ユニット１５ｂ）から排出される用紙Ｐは、排紙エンドフェンス３２にその先端が当たるとともに、排出直交方向Ｒｄ上での両端部が排紙サイドフェンス３３の排紙ガイド面３３ａに当たり、排紙エンドフェンス３２および排紙サイドフェンス３３（その排紙ガイド面３３ａ）に沿って（案内されて）落下する。すると、用紙Ｐは、両端部を排紙サイドフェンス３３の排紙ガイド面３３ａに当てつつ、排紙台３１の排紙載置面３１ａと両用紙支持部材３７の用紙受面３７ａとの上にそれらが形成する形状に沿って積載される。これにより、排紙収容装置３０では、排出される用紙Ｐを積載させて収納する。
【００６３】
また、排紙サイドフェンス３３では、図８に示すように、サイドフェンス回転軸４３を回転中心として排出直交方向Ｒｄの内側へと大きく傾けることにより、排出直交方向Ｒｄ内側へと倒して排紙台３１の排紙載置面３１ａ上に折り畳むことができる。すなわち、排紙サイドフェンス３３は、サイド側スライダ部材３８に対してサイドフェンス回転軸４３を回転中心として回転させることで、排紙ガイド面３３ａを排紙載置面３１ａに対向させるように当該排紙載置面３１ａにおける排出直交方向Ｒｄの内側へと傾倒可能とされている。これは、他方の排紙サイドフェンス３３でも同様である。このため、排紙収容装置３０では、両排紙サイドフェンス３３を排紙載置面３１ａ上に折り畳むことができ、孔版印刷装置１０を使用しないとき等にその機械本体（本体キャビネット１０ａ）に収納することが容易となる。なお、実施例１の排紙収容装置３０では、両排紙サイドフェンス３３を折り畳む際、各排紙サイドフェンス３３の下側に設けられた用紙支持部材３７を取り外すことで、当該用紙支持部材３７が各排紙サイドフェンス３３と干渉することを防止する。
【００６４】
このことから、本発明に係る実施例１の排紙収容装置３０では、排紙台３１の排紙載置面３１ａにサイド側スライダ部材３８を介してサイドフェンス回転軸４３を回転中心として回転可能に排紙サイドフェンス３３を設け、その設置底面４２ｂ（対向箇所４２ｄ）とサイド側スライダ部材３８の被設置面３８ｂとの間隔を間隔調整機構（実施例１では複数のスペーサ部材４６）により調整可能としていることから、排紙台３１（その排紙載置面３１ａ）に対する排紙サイドフェンス３３（その排紙ガイド面３３ａ）の角度を調整することができる。
【００６５】
また、排紙収容装置３０では、排紙サイドフェンス３３の回転中心となるサイドフェンス回転軸４３を用紙排出方向Ｃｄと平行に設けていることから、排紙ガイド面３３ａの用紙排出方向Ｃｄと平行な状態を維持しつつ、用紙排出方向Ｃｄと直交する面において排紙載置面３１ａと排紙ガイド面３３ａとが為す傾斜角度を調整することができる。換言すると、排紙収容装置３０では、排紙台３１の排紙載置面３１ａ上における上下方向Ｕｄで見た高さ位置の差異に応じて排出直交方向Ｒｄでの排紙サイドフェンス３３の排紙ガイド面３３ａの位置を、調整することができる。
【００６６】
さらに、排紙収容装置３０では、用紙排出方向Ｃｄと直交する面において排紙載置面３１ａと排紙ガイド面３３ａとが為す傾斜角度を調整することができることから、排紙台３１の排紙載置面３１ａに対して排紙サイドフェンス３３の排紙ガイド面３３ａをより正確に直交した状態とすることができるとともに、排出される用紙Ｐの種類やサイズ、当該用紙Ｐが排出される速度等に応じて排紙載置面３１ａに対して排紙ガイド面３３ａを傾けることができる。このため、排紙収容装置３０では、排出される用紙Ｐの排出直交方向Ｒｄでの位置を適切に揃える観点から、排紙載置面３１ａに対する排紙ガイド面３３ａの傾斜角度（直角を含む）を適宜設定することにより、排紙台３１（排紙載置面３１ａ）上における排出直交方向Ｒｄでの各用紙Ｐの位置を適切に揃えることができる。
【００６７】
排紙収容装置３０では、排紙サイドフェンス３３が、排紙台３１（排紙載置面３１ａ）の排出直交方向Ｒｄに伸びるサイド側レール部材３４に沿って移動可能に設けられたサイド側スライダ部材３８の被設置面３８ｂ上において、その被設置面３８ｂと設置底面４２ｂ（対向箇所４２ｄ）との間隔を間隔調整機構（複数のスペーサ部材４６）により調整可能とするものであることから、排出直交方向Ｒｄでの排紙サイドフェンス３３の位置に拘らず排紙載置面３１ａに対する排紙ガイド面３３ａの傾斜角度を調整することができるとともに、排紙載置面３１ａに対する排紙ガイド面３３ａの傾斜角度を調整した状態を維持しつつ排出直交方向Ｒｄでの排紙サイドフェンス３３の位置を調整することができる。このため、排紙収容装置３０では、排出される用紙Ｐのサイズや種類（紙質）の差異に拘らず、排紙台３１（排紙載置面３１ａ）上における排出直交方向Ｒｄでの各用紙Ｐの位置を適切に揃えることができる。
【００６８】
排紙収容装置３０では、排紙台３１（排紙載置面３１ａ）に排出直交方向Ｒｄに伸びて設けたサイド側レール部材３４に、それに沿って移動可能に２つのサイド側スライダ部材３８を設け、その２つのサイド側スライダ部材３８のそれぞれに被設置面３８ｂと設置底面４２ｂ（対向箇所４２ｄ）との間隔を間隔調整機構（複数のスペーサ部材４６）により調整可能として排紙サイドフェンス３３（その設置用基部４２）を設けていることから、各排紙サイドフェンス３３（その排紙ガイド面３３ａ）の排紙載置面３１ａに対する傾斜角度を個別に調整することができる。このため、例えば、排出される用紙Ｐにおける印刷画像としてのインキが付着される位置（所謂ベタ位置）に排出直交方向Ｒｄで偏りがある場合のように、排出される用紙Ｐの排出直交方向Ｒｄでの位置を適切に揃えるための排紙載置面３１ａに対する排紙ガイド面３３ａの傾斜角度が２つの排紙サイドフェンス３３で異なる場合であっても、排紙台３１（排紙載置面３１ａ）上における排出直交方向Ｒｄでの各用紙Ｐの位置をより適切に揃えることができる。
【００６９】
排紙収容装置３０では、間隔調整機構（複数のスペーサ部材４６）が、排紙台３１（その排紙載置面３１ａ）に対して排紙サイドフェンス３３（その排紙ガイド面３３ａ）を直交させた状態（実施例１ではスペーサ部材４６を３枚積み重ねた状態）における被設置面３８ｂと設置底面４２ｂ（対向箇所４２ｄ）との間隔を基準（基準状態）として、被設置面３８ｂと設置底面４２ｂ（対向箇所４２ｄ）との間隔を大きくすることと小さくすることが可能とされている。このため、排紙サイドフェンス３３では、その排紙ガイド面３３ａを排紙台３１の排紙載置面３１ａに対して直交させた状態から、サイドフェンス回転軸４３を回転中心として排出直交方向Ｒｄ外側へと傾けることができるとともに、サイドフェンス回転軸４３を回転中心として排出直交方向Ｒｄ内側へと傾けることができる。
【００７０】
排紙収容装置３０では、排紙サイドフェンス３３の排紙ガイド面３３ａを排紙台３１の排紙載置面３１ａに対して直交させた状態から、排出直交方向Ｒｄ外側と排出直交方向Ｒｄ内側との双方に傾けることができることから、各部品におけるバラつきや組み立て精度のバラつき等に起因して上記した基準状態において排紙ガイド面３３ａと排紙載置面３１ａとが直交していない場合であっても、排紙台３１（その排紙載置面３１ａ）に対して排紙サイドフェンス３３（その排紙ガイド面３３ａ）を適切に直交させることができる。
【００７１】
排紙収容装置３０では、弾性部材としての圧縮コイルバネ４５により排紙サイドフェンス３３（その設置用基部４２）の設置底面４２ｂをサイド側スライダ部材３８の被設置面３８ｂに押し付けることで、排紙サイドフェンス３３をサイド側スライダ部材３８に支持させていることから、間隔調整機構（複数のスペーサ部材４６）による被設置面３８ｂと設置底面４２ｂ（対向箇所４２ｄ）との間隔の調整量と、排紙台３１（その排紙載置面３１ａ）に対する排紙サイドフェンス３３（その排紙ガイド面３３ａ）の傾斜角度の変化量と、の関係をより適切なものとすることができる。
【００７２】
排紙収容装置３０では、弾性部材としての圧縮コイルバネ４５により排紙サイドフェンス３３（その設置用基部４２）の設置底面４２ｂをサイド側スライダ部材３８の被設置面３８ｂに押し付けるとともに、排紙サイドフェンス３３（設置用基部４２）における排紙ガイド面３３ａよりも排出直交方向Ｒｄ外側にサイドフェンス回転軸４３を設け、設置底面４２ｂにおけるサイドフェンス回転軸４３よりも排出直交方向Ｒｄ外側の箇所（対向箇所４２ｄ）と被設置面３８ｂとの間隔を間隔調整機構（複数のスペーサ部材４６）で調整するものであることから、簡易な構成とすることができるとともに、調整した状態の排紙サイドフェンス３３が排出直交方向Ｒｄ外側へと傾くことを防止することができる。このため、排紙収容装置３０では、排紙台３１の排紙載置面３１ａ（両用紙支持部材３７の用紙受面３７ａも含む）上に積載させた各用紙Ｐから、各排紙サイドフェンス３３を排出直交方向Ｒｄ外側へと押す力が作用した場合であっても、調整した排紙載置面３１ａに対する排紙ガイド面３３ａの傾斜角度が変化することを防止することができ、排紙台３１（排紙載置面３１ａ）上における排出直交方向Ｒｄでの各用紙Ｐの位置を適切に揃えることができる。
【００７３】
排紙収容装置３０では、間隔調整機構（複数のスペーサ部材４６）により排紙サイドフェンス３３を調整した状態よりも排出直交方向Ｒｄ外側へと傾くことを防止することができるとともに、その排紙サイドフェンス３３を支持するサイド側スライダ部材３８が固定爪部材３９によりサイド側レール部材３４に対して排出直交方向Ｒｄ外側へと向かうことを防止することができるので、排紙台３１の排紙載置面３１ａ（両用紙支持部材３７の用紙受面３７ａも含む）上に積載させた各用紙Ｐから、各排紙サイドフェンス３３を排出直交方向Ｒｄ外側へと押す力が作用した場合であっても、調整した両排紙サイドフェンス３３（その排紙ガイド面３３ａ）の間隔が変化することを防止することができる。このため、排紙収容装置３０では、排紙台３１（排紙載置面３１ａ）上における排出直交方向Ｒｄでの各用紙Ｐの位置をより適切に揃えることができる。
【００７４】
排紙収容装置３０では、サイド側スライダ部材３８に対してその被設置面３８ｂに直交する方向のみに移動することが可能に１対の支持脚部材４４を設け、その両支持脚部材４４で被設置面３８ｂの上方においてサイドフェンス回転軸４３を支持するとともに、サイド側スライダ部材３８の下方においてその底面３８ｇとバネ受鍔部４４ｂとの間に圧縮コイルバネ４５を圧縮して設けていることから、簡易な構成で、弾性部材（圧縮コイルバネ４５）で排紙サイドフェンス３３（その設置用基部４２）の設置底面４２ｂをサイド側スライダ部材３８の被設置面３８ｂに押し付けつつ当該排紙サイドフェンス３３がサイドフェンス回転軸４３を回転中心としてサイド側スライダ部材３８に対して回転可能とすることができる。
【００７５】
排紙収容装置３０では、間隔調整機構をサイド側スライダ部材３８の被設置面３８ｂ上に積み重ねたスペーサ部材４６で構成していることから、簡易な構成とすることができるとともに、そのスペーサ部材４６の枚数を変更するだけで設置底面４２ｂ（対向箇所４２ｄ）とサイド側スライダ部材３８の被設置面３８ｂとの間隔を調整することができる。
【００７６】
排紙収容装置３０では、スペーサ部材４６の厚さ寸法（積み重ねる方向で見た大きさ寸法）や排出直交方向Ｒｄでの大きさ寸法の設定により、設置底面４２ｂ（対向箇所４２ｄ）と被設置面３８ｂとの間隔の変化量、すなわち排紙載置面３１ａに対する排紙ガイド面３３ａの傾斜角度の変化量を設定することができるので、簡易な構成でより適切な当該傾斜角度の調整を可能とすることができる。
【００７７】
排紙収容装置３０では、サイド側スライダ部材３８の被設置面３８ｂ上に積み重ねた複数のスペーサ部材４６の受入溝４６ａを経てネジ穴３８ｄ（そのネジ溝）に軸部４７ｂを噛み合わせたネジ部材４７により、当該各スペーサ部材４６を積み重ねた状態を維持しつつ被設置面３８ｂすなわちサイド側スライダ部材３８に固定していることから、各スペーサ部材４６（間隔調整機構）により調整した設置底面４２ｂ（対向箇所４２ｄ）と被設置面３８ｂとの間隔、すなわち排紙載置面３１ａに対する排紙ガイド面３３ａの傾斜角度を適切に維持することができる。
【００７８】
排紙収容装置３０では、ネジ部材４７の軸部４７ｂを受入溝４６ａの奥壁端部４６ｂに接触させることで、各スペーサ部材４６のサイド側スライダ部材３８の被設置面３８ｂ上での排出直交方向Ｒｄの位置を規定（位置決め）することができる。このため、排紙収容装置３０では、スペーサ部材４６を積み重ねる枚数を変化させることによる、設置底面４２ｂ（対向箇所４２ｄ）と被設置面３８ｂとの間隔の変化量、すなわち排紙載置面３１ａに対する排紙ガイド面３３ａの傾斜角度の変化量を所定のものとすることができる。
【００７９】
排紙収容装置３０では、サイド側スライダ部材３８の被設置面３８ｂ上に積み重ねた複数のスペーサ部材４６の受入溝４６ａを経てネジ穴３８ｄ（そのネジ溝）に軸部４７ｂを噛み合わせたネジ部材４７により、当該各スペーサ部材４６を積み重ねた状態を維持しつつ被設置面３８ｂすなわちサイド側スライダ部材３８に固定していることから、最も上のスペーサ部材４６の排出直交方向Ｒｄでの位置を調整することで、設置底面４２ｂ（対向箇所４２ｄ）と被設置面３８ｂとの間隔の変化量、すなわち排紙載置面３１ａに対する排紙ガイド面３３ａの傾斜角度の変化量を微調整することができる。
【００８０】
排紙収容装置３０では、上記した各効果を得ることを可能とする両排紙サイドフェンス３３に加えて、排紙台３１（その排紙載置面３１ａ）上で用紙排出方向Ｃｄの移動が可能とされて排紙エンドフェンス３２が設けられていることから、用紙排出方向Ｃｄへと排出された各用紙Ｐを適切に揃えて積載して収納することができる。
【００８１】
排紙収容装置３０では、両排紙サイドフェンス３３を排紙載置面３１ａ上に折り畳むことができるので、両排紙サイドフェンス３３における上記した各効果を得ることを可能としつつ、孔版印刷装置１０を使用しないときにはその機械本体（本体キャビネット１０ａ）に収納することを容易なものとすることができる。
【００８２】
孔版印刷装置１０では、画像形成機構としての印刷部１３により印刷画像を形成した用紙Ｐを、用紙排出機構としての排紙部１５（その搬送ユニット１５ｂ）から用紙排出方向Ｃｄへと排出し、その用紙排出方向Ｃｄに対応して設けた排紙収容装置３０（その排紙台３１）で積載して収納することから、印刷画像を形成した各用紙Ｐを適切に揃えて積載して収納することができる。
【００８３】
したがって、本発明に係る実施例１の排紙収容装置３０では、排紙台３１上における排出直交方向Ｒｄでの各用紙Ｐの位置を適切に揃えることができる。
【００８４】
なお、上記した実施例１では、複数のスペーサ部材４６を互いに等しい大きさ寸法としていたが、例えば、厚さ寸法や排出直交方向Ｒｄでの大きさ寸法が互いに異なるものを積み重ねるものであってもよく、この実施例１に限定されるものではない。この場合、小さな厚さ寸法（排出直交方向Ｒｄでの大きさ寸法）のスペーサ部材４６を用いることで、排紙サイドフェンス３３（その排紙ガイド面３３ａ）の角度調整をより細かく行うことができるとともに、大きな厚さ寸法（排出直交方向Ｒｄでの大きさ寸法）のスペーサ部材４６を用いることで、少ない枚数で排紙サイドフェンス３３（その排紙ガイド面３３ａ）の角度を大きく調整することができる。
【００８５】
また、上記した実施例１では、用紙排出方向Ｃｄで見ると台形状を呈し六面体形状とされた設置用基部４２を排紙サイドフェンス３３の下方に連続させて設けていたが、用紙排出方向Ｃｄに伸びるサイドフェンス回転軸４３を回転中心として回転可能に排紙サイドフェンス３３をサイド側スライダ部材３８の被設置面３８ｂに設置して、その排紙サイドフェンス３３における被設置面３８ｂへの設置箇所となる設置底面４２ｂと当該被設置面３８ｂとの間隔を複数のスペーサ部材４６（間隔調整機構）により調整することを可能とするものであれば、例えば図９に示すような構成であってもよく、他の構成であってもよく、上記した実施例１の構成に限定されるものではない。その図９に示す例の排紙収容装置３０´では、設置用基部４２´を直方体形状とするとともに、サイド側スライダ部材３８´の被設置面３８ｂ´におけるスペーサ部材４６が積み重ねられる箇所を凹ませることで、スペーサ部材４６の枚数を変化させることにより、設置用基部４２´の設置底面４２ｂ´（対向箇所４２ｄ´）と被設置面３８ｂ´との間隔を変化させるべく設置用基部４２´がサイド側スライダ部材３８´に対してサイドフェンス回転軸４３を回転中心として回転することを可能としている。
【実施例２】
【００８６】
次に、本発明の実施例２に係る排紙収容装置３０２およびそれを備える孔版印刷装置１０（図１参照）について、図１０および図１１を用いて説明する。図１０は、排紙収容装置３０２における排紙サイドフェンス３３、サイド側スライダ部材３８および間隔調整機構の構成を説明するための図３と同様の説明図であって、円Ａで示す箇所を部分的に拡大して断面で示した様子を円Ｂ内に示している。図１１は、排紙収容装置３０２における間隔調整機構の作用を説明するための図７と同様の説明図であって、（ａ）は被設置面３８ｂと設置底面４２ｂ（対向箇所４２ｄ）とを基準状態とした様子を示し、（ｂ）は被設置面３８ｂと設置底面４２ｂ（対向箇所４２ｄ）との間隔を基準状態よりも小さくした様子を示し、（ｃ）は被設置面３８ｂと設置底面４２ｂ（対向箇所４２ｄ）との間隔を基準状態よりも大きくした様子を示す。
【００８７】
この実施例２は、排紙収容装置３０２における間隔調整機構の構成が、実施例１の排紙収容装置３０の間隔調整機構の構成と異なる例である。この実施例２の排紙収容装置３０２（その間隔調整機構）は、基本的な構成は上記した実施例１の排紙収容装置３０と同様であることから、等しい構成の個所には同じ符号を付し、その詳細な説明は省略する。なお、排紙収容装置３０２を備える孔版印刷装置１０の構成は、排紙収容装置３０が排紙収容装置３０２に変わったことを除くと、上記した実施例１の孔版印刷装置１０（図１参照）と同様であることから、その詳細な説明および図示は省略する。
【００８８】
実施例２の排紙収容装置３０２では、間隔調整機構として、サイド側スライダ部材３８の被設置面３８ｂ上に複数のスペーサ部材４６を積み重ねることに替えて、設置用基部４２に突出片部材５１を設けている。このため、排紙収容装置３０２では、複数のスペーサ部材４６をサイド側スライダ部材３８に固定するネジ部材４７を用いてはおらず、その軸部４７ｂが噛み合わされるネジ穴３８ｄをサイド側スライダ部材３８に設けてはいない。
【００８９】
その間隔調整機構としての突出片部材５１は、設置用基部４２の設置底面４２ｂからサイド側スライダ部材３８の被設置面３８ｂへ向けて、突出端部５１ａを突出させて、設置用基部４２に設けられている。また、突出片部材５１は、突出端部５１ａの設置底面４２ｂからの突出量を変化させるべく、設置用基部４２に対して移動可能に当該設置用基部４２に設けられている。そして、突出片部材５１は、設置底面４２ｂから突出させた突出端部５１ａを被設置面３８ｂに当てることにより、設置底面４２ｂと被設置面３８ｂとの間隔を所定の状態で維持する。このため、突出片部材５１では、突出端部５１ａの設置底面４２ｂからの突出量を変化させることにより、設置底面４２ｂと被設置面３８ｂとの間隔を調整することができる。
【００９０】
突出片部材５１は、実施例２では、先端で突出端部５１ａを形成する軸部５１ｂと、その突出端部５１ａとは反対側の端部に設けられた調整保持部５１ｃと、を有する。その軸部５１ｂは、後述する設置用基部４２の貫通孔４２ｆの内方に通すことを可能とする大きさ寸法の円柱形状を呈し、その外周面にネジ山５１ｄが設けられている。そのネジ山５１ｄは、後述するように貫通孔４２ｆの内方に設けられるインサートナット５２に設けられるネジ溝５２ａに噛み合わせることが可能とされている（図１０の円Ｂ参照）。また、軸部５１ｂは、後述する設置用基部４２の貫通孔４２ｆにおけるその軸線方向で見た長さ寸法よりも、大きな長さ寸法とされている。調整保持部５１ｃは、軸部５１ｂよりも大きな外形寸法とされた円柱形状を呈し、後述する設置用基部４２の貫通孔４２ｆの内方に通すことのできない外形寸法とされている。この突出片部材５１を設けるために、設置用基部４２に貫通孔４２ｆが設けられている。
【００９１】
その貫通孔４２ｆは、設置用基部４２をその上面４２ａに直交する方向に貫通して形成されており、突出片部材５１の軸部５１ｂを通すことが可能な内径寸法とされている。貫通孔４２ｆは、実施例２では、サイドフェンス回転軸４３（設置用基部４２においてそれを受け入れる回転軸穴４２ｅ（図５参照））よりも排出直交方向Ｒｄ外側に設けられている。これは、実施例２の間隔調整機構すなわち突出片部材５１では、設置底面４２ｂにおける被設置面３８ｂに対する間隔を調整する箇所を、実施例１と同様に排出直交方向Ｒｄ外側の端部（対向箇所４２ｄ）とすることによる。この貫通孔４２ｆには、インサートナット５２が設けられている。
【００９２】
そのインサートナット５２は、突出片部材５１を設置用基部４２に対して移動可能としつつ、突出片部材５１を設置用基部４２に取り付けるものである。インサートナット５２は、突出片部材５１の軸部５１ｂをその軸線に直交する方向で取り巻くことを可能とする環状を呈し、内周面にネジ溝５２ａが設けられている。そのネジ溝５２ａは、軸部５１ｂの外周面に設けられたネジ山５１ｄと噛み合わせることが可能とされている（図１０の円Ｂ参照）。このインサートナット５２は、自らの軸線を貫通孔４２ｆの軸線に一致させつつ設置用基部４２に埋め込まれて、当該設置用基部４２に固定されて設けられている。
【００９３】
排紙収容装置３０２では、設置用基部４２における上面４２ａ側から貫通孔４２ｆへと、突出片部材５１の軸部５１ｂが突出端部５１ａ側から挿入される。そして、軸部５１ｂがインサートナット５２の存在する箇所に至ると、軸部５１ｂのネジ山５１ｄをインサートナット５２のネジ溝５２ａに噛み合わせ、当該インサートナット５２すなわち設置用基部４２に対して突出片部材５１を回転させる。その回転により、突出片部材５１の軸部５１ｂの突出端部５１ａが設置用基部４２の設置底面４２ｂ（対向箇所４２ｄ）から突出されて、その突出端部５１ａがサイド側スライダ部材３８の被設置面３８ｂに当たる。
【００９４】
ここで、突出片部材５１は、図１０および図１１（ａ）に示すように、突出端部５１ａを被設置面３８ｂに当てることで、被設置面３８ｂと設置底面４２ｂ（対向箇所４２ｄ）との間隔を実施例１と同様の基準状態とすることが可能とされている。この状態では、実施例１と同様に、排紙台３１（その排紙載置面３１ａ）に対して排紙サイドフェンス３３（その排紙ガイド面３３ａ）が直交する状態となる。実施例２では、突出片部材５１は、この状態において、突出片部材５１における突出端部５１ａ側が設置底面４２ｂ（対向箇所４２ｄ）から突出しているとともに、突出片部材５１における調整保持部５１ｃ側も被設置面３８ｂから突出している。換言すると、突出片部材５１では、この状態において、調整保持部５１ｃが被設置面３８ｂから間隔を置く位置に存在しており、突出端部５１ａの設置底面４２ｂ（対向箇所４２ｄ）からの突出量を大きくすることと小さくすることとが可能とされている。このことは、突出片部材５１の軸部５１ｂが、後述する設置用基部４２の貫通孔４２ｆをその軸線方向で見た長さ寸法よりも大きな長さ寸法とされていることにより可能とすることができる。そして、突出片部材５１では、調整保持部５１ｃを掴んで当該調整保持部５１ｃを設置用基部４２（インサートナット５２）に対して回転させることにより、突出片部材５１を設置用基部４２に対して移動させて突出量を調節することができる。
【００９５】
その設置用基部４２が連続して設けられた排紙サイドフェンス３３は、上述した実施例２の間隔調整機構（突出片部材５１）と、間隔調整機構を除く実施例１と同様の構成と、により、サイド側スライダ部材３８（その被設置面３８ｂ）に固定される。そして、実施例２の排紙サイドフェンス３３では、図１１（ａ）に示すように、設置底面４２ｂ（対向箇所４２ｄ）から突出された突出端部５１ａがサイド側スライダ部材３８の被設置面３８ｂに当てられて、被設置面３８ｂと設置底面４２ｂ（対向箇所４２ｄ）との間隔が基準状態とされると、排紙台３１（その排紙載置面３１ａ）に対して排紙ガイド面３３ａが直交した状態で設置用基部４２（その設置底面４２ｂ）がサイド側スライダ部材３８（その被設置面３８ｂ）に固定される。そして、排紙サイドフェンス３３では、図１１（ｂ）に示すように、設置用基部４２（インサートナット５２）に対して突出片部材５１を回転させて、突出端部５１ａの設置底面４２ｂ（対向箇所４２ｄ）からの突出量を小さくすることにより、排紙台３１（その排紙載置面３１ａ）に対して排紙サイドフェンス３３（その排紙ガイド面３３ａ）を、サイドフェンス回転軸４３を回転中心として排出直交方向Ｒｄ外側へと傾けることができる。また、排紙サイドフェンス３３では、図１１（ｃ）に示すように、設置用基部４２（インサートナット５２）に対して突出片部材５１を回転させて、突出端部５１ａの設置底面４２ｂ（対向箇所４２ｄ）からの突出量を大きくすることにより、排紙台３１（その排紙載置面３１ａ）に対して排紙サイドフェンス３３（その排紙ガイド面３３ａ）を、サイドフェンス回転軸４３を回転中心として排出直交方向Ｒｄ内側へと傾けることができる。
【００９６】
この本発明に係る実施例２の排紙収容装置３０２（孔版印刷装置１０）は、基本的に排紙収容装置３０（孔版印刷装置１０）と等しい構成であることから、同様の効果を得ることができる。
【００９７】
それに加えて、実施例２の排紙収容装置３０２では、設置用基部４２に設けた突出片部材５１の突出端部５１ａの設置底面４２ｂ（対向箇所４２ｄ）からの突出量を変化させることにより、設置底面４２ｂ（対向箇所４２ｄ）と被設置面３８ｂとの間隔を調整するものであることから、排紙台３１（その排紙載置面３１ａ）に対する排紙サイドフェンス３３（その排紙ガイド面３３ａ）の角度の調整のための構成をより簡易なものとすることができる。換言すると、排紙収容装置３０２では、基本的にネジ部材である突出片部材５１のみで排紙台３１（その排紙載置面３１ａ）に対する排紙サイドフェンス３３（その排紙ガイド面３３ａ）の角度を調整することができる。
【００９８】
また、実施例２の排紙収容装置３０２では、設置用基部４２に設けた突出片部材５１の突出端部５１ａの設置底面４２ｂ（対向箇所４２ｄ）からの突出量を変化させることにより、設置底面４２ｂ（対向箇所４２ｄ）と被設置面３８ｂとの間隔を調整するものであることから、設置用基部４２に対する突出片部材５１の位置を変化させるだけで排紙台３１（その排紙載置面３１ａ）に対する排紙サイドフェンス３３（その排紙ガイド面３３ａ）の角度を調整することができるので、排紙載置面３１ａと排紙ガイド面３３ａとが為す傾斜角度の調整のための操作をより容易なものとすることができる。
【００９９】
さらに、実施例２の排紙収容装置３０２では、突出片部材５１の軸部５１ｂのネジ山５１ｄを、設置用基部４２に設けたインサートナット５２のネジ溝５２ａに噛み合わせることで、設置用基部４２に対して移動可能に当該設置用基部４２に突出片部材５１を設けていることから、突出端部５１ａの設置底面４２ｂ（対向箇所４２ｄ）からの突出量を変化させるべく突出片部材５１を設置用基部４２に設ける構成をより簡易なものとすることができる。
【０１００】
実施例２の排紙収容装置３０２では、軸部５１ｂのネジ山５１ｄを設置用基部４２のインサートナット５２のネジ溝５２ａに噛み合わせることで、設置用基部４２に対して突出片部材５１を移動可能としていることから、突出端部５１ａの設置底面４２ｂ（対向箇所４２ｄ）からの突出量を連続的に変化させることができるので、排紙載置面３１ａと排紙ガイド面３３ａとが為す傾斜角度をより精細に調整することができる。
【０１０１】
実施例２の排紙収容装置３０２では、被設置面３８ｂに当てられている突出端部５１ａの設置底面４２ｂ（対向箇所４２ｄ）からの突出量を変化させることにより、設置底面４２ｂ（対向箇所４２ｄ）と被設置面３８ｂとの間隔を調整するものであることから、設置用基部４２に対して突出片部材５１を移動させると直接的に排紙載置面３１ａと排紙ガイド面３３ａとが為す傾斜角度を変化させることができる。このため、その傾斜角度の調整をより簡易なものとすることができる。特に、実施例２では、設置用基部４２（インサートナット５２）に対して突出片部材５１を回転させることにより、設置用基部４２に対して突出片部材５１を移動させることができるので、より簡易な操作とすることができる。
【０１０２】
したがって、本発明に係る実施例２の排紙収容装置３０２では、排紙台３１上における排出直交方向Ｒｄでの各用紙Ｐの位置を適切に揃えることができる。
【０１０３】
なお、上記した実施例２では、突出片部材５１の軸部５１ｂのネジ山５１ｄを設置用基部４２のインサートナット５２のネジ溝５２ａに噛み合わせる構成としていたが、突出端部５１ａの設置底面４２ｂ（対向箇所４２ｄ）からの突出量を変化させるべく設置用基部４２に対して突出片部材５１を移動可能とするものであれば、例えば、貫通孔４２ｆの軸線方向に移動可能に突出片部材を設けるとともに、その突出片部材の貫通孔４２ｆ内での移動を固定するロック部材を貫通孔４２ｆ（設置用基部４２）に設けるものであってもよく、他の構成であってもよく、上記した実施例２の構成に限定されるものではない。そのロック部材は、例えば、突出片部材をその軸線に直交する方向から挟み込むことと、その挟み込みを解除することと、を可能とすることにより、実現することができる。
【０１０４】
また、上記した実施例２では、用紙排出方向Ｃｄで見ると台形状を呈し六面体形状とされた設置用基部４２を排紙サイドフェンス３３の下方に連続させて設けていたが、用紙排出方向Ｃｄに伸びるサイドフェンス回転軸４３を回転中心として回転可能に排紙サイドフェンス３３をサイド側スライダ部材３８の被設置面３８ｂに設置して、その排紙サイドフェンス３３における被設置面３８ｂへの設置箇所となる設置底面４２ｂと当該被設置面３８ｂとの間隔を突出片部材５１（間隔調整機構）により調整することを可能とするものであれば、他の構成（例えば図９に示すような構成）であってもよく、上記した実施例２の構成に限定されるものではない。
【実施例３】
【０１０５】
次に、本発明の実施例３に係る排紙収容装置３０３およびそれを備える孔版印刷装置１０（図１参照）について、図１２および図１３を用いて説明する。図１２は、排紙収容装置３０３における排紙サイドフェンス３３、サイド側スライダ部材３８および間隔調整機構の構成を説明するための図３と同様の説明図である。図１３は、排紙収容装置３０３における間隔調整機構の作用を説明するための図７と同様の説明図であって、（ａ）は被設置面３８ｂと設置底面４２ｂ（対向箇所４２ｄ）とを基準状態とした様子を示し、（ｂ）は被設置面３８ｂと設置底面４２ｂ（対向箇所４２ｄ）との間隔を基準状態よりも小さくした様子を示し、（ｃ）は被設置面３８ｂと設置底面４２ｂ（対向箇所４２ｄ）との間隔を基準状態よりも大きくした様子を示す。
【０１０６】
この実施例３は、排紙収容装置３０３における間隔調整機構の構成が、実施例１の排紙収容装置３０の間隔調整機構の構成と異なる例である。この実施例３の排紙収容装置３０３（その間隔調整機構）は、基本的な構成は上記した実施例１の排紙収容装置３０と同様であることから、等しい構成の個所には同じ符号を付し、その詳細な説明は省略する。なお、排紙収容装置３０３を備える孔版印刷装置１０の構成は、排紙収容装置３０が排紙収容装置３０３に変わったことを除くと、上記した実施例１の孔版印刷装置１０（図１参照）と同様であることから、その詳細な説明および図示は省略する。
【０１０７】
実施例３の排紙収容装置３０３では、間隔調整機構として、サイド側スライダ部材３８の被設置面３８ｂ上に複数のスペーサ部材４６を積み重ねることに替えて、サイド側スライダ部材３８に回転駆動部６０を設けるとともに、設置用基部４２３（排紙サイドフェンス３３）に伝達部７０を設けている。このため、排紙収容装置３０３では、複数のスペーサ部材４６をサイド側スライダ部材３８に固定するネジ部材４７を用いてはおらず、その軸部４７ｂが噛み合わされるネジ穴３８ｄをサイド側スライダ部材３８に設けてはいない。なお、排紙収容装置３０３では、排紙サイドフェンス３３に設置用基部４２３が連続されて設けられている。その設置用基部４２３は、基本的に実施例１の設置用基部４２と同様の構成であるが、その設置用基部４２とは異なり用紙排出方向Ｃｄで見ると長方形状を呈するものとされている。
【０１０８】
この間隔調整機構では、サイド側スライダ部材３８に設けた回転駆動部６０からの駆動力を、伝達部７０により設置用基部４２３（排紙サイドフェンス３３）におけるサイドフェンス回転軸４３を回転中心とする回転力に変換する。その回転駆動部６０には、制御部８１が接続されている。その制御部８１は、記憶部８１ａやマイクロコンピュータを有して構成されている。制御部８１には、操作部８２からの操作信号を入力可能に当該操作部８２が接続されている。この制御部８１および操作部８２は、排紙収容装置３０３に設けるものであってもよく孔版印刷装置１０（図１参照）に設けるものであってもよい。制御部８１および操作部８２は、実施例３では、孔版印刷装置１０（その本体キャビネット１０ａ（図１参照））に設けられている。このため、制御部８１は、実施例３では、操作部８２からの操作信号に基づいて、原稿読取部１１と製版部１２と印刷部１３と給紙部１４と排紙部１５と排版部１６とにおける駆動処理を、記憶部８１ａに格納したプログラムにより統括的に行う。そして、実施例３の排紙収容装置３０３では、制御部８１が回転駆動部６０（その後述する駆動モータ６１）の駆動処理を行う。すなわち、回転駆動部６０（駆動モータ６１）は、制御部８１の制御下において、適宜駆動される。加えて、排紙収容装置３０３では、操作部８２に為された操作に基づいて、制御部８１が回転駆動部６０（駆動モータ６１）の駆動処理を行うことも可能とされている。このため、排紙収容装置３０３の間隔調整機構は、制御部８１の制御下において回転駆動部６０が適宜駆動されることにより、伝達部７０を介してサイドフェンス回転軸４３を回転中心として設置用基部４２３を回転させて、サイド側スライダ部材３８の被設置面３８ｂと設置底面４２ｂ（対向箇所４２ｄ）との間隔を調整する。
【０１０９】
その回転駆動部６０は、実施例３では、駆動モータ６１とウォームギヤ６２と第１ギヤ６３と第２ギヤ６４とを有する。駆動モータ６１は、制御部８１の制御下で駆動されると出力軸を回転させることにより駆動力を出力するものであり、サイド側スライダ部材３８に固定されて設けられている。その駆動モータ６１では、制御部８１の制御下で、出力軸における回転位置を規制することが可能とされている。駆動モータ６１では、出力軸にウォームギヤ６２が設けられている。このウォームギヤ６２には、第１ギヤ６３が噛み合わされている。その第１ギヤ６３は、回転軸６３ａを回転中心として回転可能にサイド側スライダ部材３８に設けられており、第２ギヤ６４が噛み合わされている。その第２ギヤ６４は、回転軸６４ａを回転中心として回転可能にサイド側スライダ部材３８に設けられている。このため、回転駆動部６０では、駆動モータ６１が駆動されると、その出力軸のウォームギヤ６２および第１ギヤ６３を介して、第２ギヤ６４が回転駆動される。そして、回転駆動部６０では、駆動モータ６１の駆動が逆転（出力軸における回転方向が逆転）されることにより、第２ギヤ６４における回転方向が逆転する。この回転駆動部６０では、制御部８１により駆動モータ６１（その出力軸）における回転方向と回転位置とが制御されることで、第２ギヤ６４における回転方向と回転姿勢とが規定される。この第２ギヤ６４は、回転駆動部６０において駆動力を伝達部７０へと出力する箇所となる。
【０１１０】
その伝達部７０は、半月ギヤ７１を有する。その半月ギヤ７１は、サイドフェンス回転軸４３すなわち設置用基部４２３において当該サイドフェンス回転軸４３を受け入れる回転軸穴４２ｅ（図５参照）の軸線を中心とする弧状を呈し、その中心から見た外周面にギヤ歯は設けられて構成されている。半月ギヤ７１は、設置用基部４２３に固定されて設けられている。
【０１１１】
この排紙収容装置３０３では、実施例１の排紙収容装置３０と同様に、設置用基部４２３すなわち排紙サイドフェンス３３が、両支持脚部材４４に支持されたサイドフェンス回転軸４３を回転中心として回転可能にサイド側スライダ部材３８に設けられる。その両支持脚部材４４には、圧縮コイルバネ４５が設けられている。このため、排紙収容装置３０３では、実施例１の排紙収容装置３０と同様に、圧縮コイルバネ４５を変形させることで、サイドフェンス回転軸４３を介して設置用基部４２３をサイド側スライダ部材３８の被設置面３８ｂへ向けて押し付ける力が作用している。そして、排紙収容装置３０３では、設置用基部４２３の接触端部４２ｃ（設置底面４２ｂ）をサイド側スライダ部材３８の被設置面３８ｂに接触させることに替えて、設置用基部４２３に設けた伝達部７０の半月ギヤ７１を、サイド側スライダ部材３８に設けた回転駆動部６０の第２ギヤ６４に接触させて噛み合わせている。すなわち、排紙収容装置３０３では、半月ギヤ７１が第２ギヤ６４に押し当てられることで、設置用基部４２３がサイド側スライダ部材３８に支持されている。
【０１１２】
ここで、サイドフェンス回転軸４３を支持する両支持脚部材４４が、サイド側スライダ部材３８の支持脚部用穴３８ｃに通されて、その軸線方向に移動することのみが可能とされている。このため、設置用基部４２３は、サイド側スライダ部材３８に対して上下方向Ｕｄに移動することと、サイドフェンス回転軸４３を回転中心とする回転方向に傾くことと、が可能とされている。換言すると、設置用基部４２３は、サイド側スライダ部材３８に対して用紙排出方向Ｃｄおよび排出直交方向Ｒｄへと移動することが防止されている。このような構成であることから、排紙収容装置３０３では、設置用基部４２３の設置底面４２ｂとサイド側スライダ部材３８の被設置面３８ｂとを、互いに接触させることなく上下方向Ｕｄで対向させている。
【０１１３】
これにより、設置用基部４２３は、互いに噛み合わせられた半月ギヤ７１と第２ギヤ６４とを介して、被設置面３８ｂへと押し付けられて固定される。その設置用基部４２３は、半月ギヤ７１に噛み合う第２ギヤ６４の回転が防止されることにより、対向箇所４２ｄ（設置底面４２ｂ）と被設置面３８ｂとが所定の間隔を置いた状態、すなわち被設置面３８ｂに対して設置底面４２ｂ（対向箇所４２ｄ）を所定の角度関係とする状態が維持される。その第２ギヤ６４の回転の防止は、第１ギヤ６３およびウォームギヤ６２を介して出力軸に接続された駆動モータ６１において、駆動されていない状態から外力により出力軸を回転させることに抗する力により実現することができる。なお、そのような構成では、第２ギヤ６４の回転を十分に防止することが困難である場合、駆動モータ６１（その出力軸）、ウォームギヤ６２、第１ギヤ６３もしくは第２ギヤ６４のいずれかの回転を止めるためのブレーキ機構を設けるものとすればよい。そのブレーキ機構では、制御部８１の制御下において、回転を止める状態と、それを解除する状態と、の移行が為される。これにより、第２ギヤ６４の回転を確実に防止して、設置用基部４２３（排紙サイドフェンス３３）のサイドフェンス回転軸４３を回転中心とする回転を確実に防止することができる。
【０１１４】
ここで、実施例３では、回転駆動部６０および伝達部７０は、図１２および図１３（ａ）に示すように、半月ギヤ７１の周方向（ギヤ歯が設けられた方向）で見た中央位置を第２ギヤ６４に噛み合わせることで、被設置面３８ｂと設置底面４２ｂ（対向箇所４２ｄ）との間隔を実施例１と同様の基準状態とすることが可能とされている。この状態では、実施例１と同様に、排紙台３１（その排紙載置面３１ａ）に対して排紙サイドフェンス３３（その排紙ガイド面３３ａ）が直交する状態となる。このため、回転駆動部６０および伝達部７０では、回転駆動部６０からの駆動力が半月ギヤ７１（伝達部７０）に入力されると、サイドフェンス回転軸４３を回転中心とする回転方向におけるいずれの側であっても、設置用基部４２３を回転させることが可能とされている。
【０１１５】
上記した構成により、設置用基部４２３が連続して設けられた排紙サイドフェンス３３は、サイド側スライダ部材３８（その被設置面３８ｂ）に固定される。そして、実施例３の排紙サイドフェンス３３では、図１３（ａ）に示すように、半月ギヤ７１と第２ギヤ６４との相対的な回転姿勢により被設置面３８ｂと設置底面４２ｂ（対向箇所４２ｄ）との間隔が基準状態とされると、排紙台３１（その排紙載置面３１ａ）に対して排紙ガイド面３３ａが直交した状態で設置用基部４２３（その設置底面４２ｂ）がサイド側スライダ部材３８（その被設置面３８ｂ）に固定される。そして、排紙サイドフェンス３３では、図１３（ｂ）に示すように、回転駆動部６０（その駆動モータ６１）からの駆動力により第２ギヤ６４に対する半月ギヤ７１（伝達部７０）での噛み合わせられた位置を変化させて、被設置面３８ｂと設置底面４２ｂ（対向箇所４２ｄ）との間隔を小さくすることにより、排紙台３１（その排紙載置面３１ａ）に対して排紙サイドフェンス３３（その排紙ガイド面３３ａ）を、サイドフェンス回転軸４３を回転中心として排出直交方向Ｒｄ外側へと傾けることができる。また、排紙サイドフェンス３３では、図１３（ｃ）に示すように、回転駆動部６０（その駆動モータ６１）からの駆動力により第２ギヤ６４に対する半月ギヤ７１（伝達部７０）での噛み合わせられた位置を変化させて、被設置面３８ｂと設置底面４２ｂ（対向箇所４２ｄ）との間隔を大きくすることにより、排紙台３１（その排紙載置面３１ａ）に対して排紙サイドフェンス３３（その排紙ガイド面３３ａ）を、サイドフェンス回転軸４３を回転中心として排出直交方向Ｒｄ内側へと傾けることができる。そして、排紙収容装置３０３では、操作部８２に為された操作に基づいて、制御部８１が回転駆動部６０（駆動モータ６１）の駆動処理を行うことが可能であることから、単に操作部８２を操作することで、上記したような排紙台３１（その排紙載置面３１ａ）に対する排紙サイドフェンス３３（その排紙ガイド面３３ａ）の傾斜角度の調整を行うことができる。
【０１１６】
この本発明に係る実施例３の排紙収容装置３０３（孔版印刷装置１０）は、基本的に排紙収容装置３０（孔版印刷装置１０）と等しい構成であることから、同様の効果を得ることができる。
【０１１７】
それに加えて、実施例３の排紙収容装置３０３では、サイド側スライダ部材３８に設けた回転駆動部６０からの駆動力を、伝達部７０が設置用基部４２３（排紙サイドフェンス３３）におけるサイドフェンス回転軸４３を回転中心とする回転力に変換することにより、設置底面４２ｂ（対向箇所４２ｄ）と被設置面３８ｂとの間隔を調整するものであることから、排紙台３１（その排紙載置面３１ａ）に対する排紙サイドフェンス３３（その排紙ガイド面３３ａ）の角度の調整のための構成を簡易なものとすることができる。
【０１１８】
また、実施例３の排紙収容装置３０３では、操作部８２に為された操作に基づき制御部８１の制御下で回転駆動部６０を駆動することができることから、単に操作部８２を操作することで、排紙台３１（その排紙載置面３１ａ）に対する排紙サイドフェンス３３（その排紙ガイド面３３ａ）の傾斜角度の調整を行うことができる。
【０１１９】
さらに、実施例３の排紙収容装置３０３では、サイド側スライダ部材３８に回転可能に設けた回転駆動部６０の第２ギヤ６４に対する、設置用基部４２３に固定して設けた伝達部７０の半月ギヤ７１での噛み合わせられた位置を変化させることにより、設置底面４２ｂ（対向箇所４２ｄ）と被設置面３８ｂとの間隔を調整するものであることから、排紙台３１（その排紙載置面３１ａ）に対する排紙サイドフェンス３３（その排紙ガイド面３３ａ）の角度の調整のための構成をより簡易なものとすることができる。
【０１２０】
実施例３の排紙収容装置３０３では、サイド側スライダ部材３８に回転可能に設けた回転駆動部６０の第２ギヤ６４に対する、設置用基部４２３に固定して設けた伝達部７０の半月ギヤ７１での噛み合わせられた位置を変化させることにより、設置底面４２ｂ（対向箇所４２ｄ）と被設置面３８ｂとの間隔を調整するものであることから、設置底面４２ｂ（対向箇所４２ｄ）と被設置面３８ｂとの間隔を連続的に変化させることができるので、排紙載置面３１ａと排紙ガイド面３３ａとが為す傾斜角度をより精細に調整することができる。
【０１２１】
実施例３の排紙収容装置３０３では、サイド側スライダ部材３８に回転可能に設けた回転駆動部６０の第２ギヤ６４に対する、設置用基部４２３に固定して設けた伝達部７０の半月ギヤ７１での噛み合わせられた位置を変化させることにより、設置底面４２ｂ（対向箇所４２ｄ）と被設置面３８ｂとの間隔を調整するものであることから、回転駆動部６０を駆動する（第２ギヤ６４の回転姿勢を変化させる）と直接的に排紙載置面３１ａと排紙ガイド面３３ａとが為す傾斜角度を変化させることができる。このため、その傾斜角度の調整をより簡易なものとすることができる。
【０１２２】
したがって、本発明に係る実施例３の排紙収容装置３０３では、排紙台３１上における排出直交方向Ｒｄでの各用紙Ｐの位置を適切に揃えることができる。
【０１２３】
なお、上記した実施例３では、サイド側スライダ部材３８に設けた回転駆動部６０を、駆動モータ６１とウォームギヤ６２と第１ギヤ６３と第２ギヤ６４とで構成し、かつ設置用基部４２３に設けた伝達部７０を半月ギヤ７１で構成していたが、サイド側スライダ部材３８に設けた回転駆動部（６０）からの駆動力を、伝達部（７０）で設置用基部４２３（排紙サイドフェンス３３）におけるサイドフェンス回転軸４３を回転中心とする回転力に変換することにより、排紙サイドフェンス３３の設置底面４２ｂ（対向箇所４２ｄ）とサイド側スライダ部材３８の被設置面３８ｂとの間隔の調整を可能とするものであればよく、上記した実施例３の構成に限定されるものではない。
【０１２４】
また、上記した実施例３では、半月ギヤ７１を第２ギヤ６４に押し当てることで設置用基部４２３をサイド側スライダ部材３８に支持させていたが、両支持脚部材４４に支持されたサイドフェンス回転軸４３を回転中心として回転可能に設置用基部４２３をサイド側スライダ部材３８に支持させるものであれば、例えば図１４に示すような構成であってもよく、他の構成であってもよく、上記した実施例３の構成に限定されるものではない。その図１４に示す例の排紙収容装置３０３´では、設置用基部４２３´の設置底面４２ｂ´´に接触凸部４２ｇを設けるとともに、サイド側スライダ部材３８´´の被設置面３８ｂ´´に接触凹部３８ｈを設けている。その接触凸部４２ｇは、設置底面４２ｂ´´が部分的に下方へ向けて突出されて形成されており、サイドフェンス回転軸４３（それを受け入れる回転軸穴４２ｅ）の軸線を中心とする円弧状を呈する。接触凹部３８ｈは、接触凸部４２ｇを嵌め入れることを可能とすべく被設置面３８ｂ´´が部分的に凹まされて形成されている。この接触凹部３８ｈは、接触凸部４２ｇを受け入れた状態において、サイドフェンス回転軸４３（それを受け入れる回転軸穴４２ｅ）の軸線を中心とする円弧状を呈する。この接触凹部３８ｈと接触凸部４２ｇとは、互いに滑ることが可能とされている。これにより、設置用基部４２３´は、接触凸部４２ｇを接触凹部３８ｈに嵌め入れることにより、サイドフェンス回転軸４３を回転中心として回転可能にサイド側スライダ部材３８´´により支持される。
【０１２５】
なお、上記した各実施例では、本発明に係る排紙収容装置の一例としての排紙収容装置３０、３０２、３０３について説明したが、用紙排出方向に排出された用紙を積載する排紙載置面を形成する排紙台と、前記用紙排出方向に移動可能に前記排紙台に設けられ、前記排紙載置面における前記用紙排出方向での前記用紙の積載位置を規制する排紙エンドフェンスと、前記用紙排出方向と直交する排出直交方向で対を為すとともに該排出直交方向に移動可能に前記排紙台に設けられ、前記用紙排出方向と平行な排紙ガイド面を形成する排紙サイドフェンスと、前記排出直交方向に伸びて前記排紙台に設けられたレール部材と、前記各排紙サイドフェンスに対応して対を為して前記レール部材に沿って移動可能に設けられ、対応する前記排紙サイドフェンスが被設置面に設置されるスライダ部材と、を備え、前記各排紙サイドフェンスは、前記用紙排出方向と平行なサイドフェンス回転軸を回転中心として回転可能とされつつ、弾性部材を変形させることで設置底面が前記被設置面に押し付けられて前記スライダ部材に支持され、前記各スライダ部材には、前記設置底面における前記排出直交方向で見たいずれか一方の端部と前記被設置面との間隔を調整する間隔調整機構が設けられている排紙収容装置であればよく、上記した各実施例に限定されるものではない。
【０１２６】
また、上記した各実施例では、設置用基部４２もしくは設置用基部４２３（´や´´で示したものも含む）により排紙サイドフェンス３３の設置底面４２ｂを形成していたが、用紙排出方向Ｃｄに伸びるサイドフェンス回転軸４３を回転中心として回転可能に排紙サイドフェンス３３をサイド側スライダ部材３８の被設置面３８ｂに設置する際、その排紙サイドフェンス３３における被設置面３８ｂへの設置箇所となるものであって当該被設置面３８ｂとの間隔を間隔調整機構により調整可能とするものであれば、排紙サイドフェンス３３の底面（上下方向Ｕｄ下側の面）で形成するものであってもよく、他の構成であってもよく、上記した各実施例に限定されるものではない。
【０１２７】
さらに、上記した各実施例では、弾性部材として内方に支持脚部材４４を受け入れる圧縮コイルバネ４５を設けていたが、変形することで排紙サイドフェンス３３（その設置用基部４２）の設置底面４２ｂをサイド側スライダ部材３８の被設置面３８ｂに押し付けて当該排紙サイドフェンス３３をサイド側スライダ部材３８に支持させるものであればよく、上記した各実施例に限定されるものではない。
【０１２８】
上記した各実施例では、サイド側スライダ部材３８がサイド側レール部材３４に対して移動自在とされて設けられていたが、排紙台３１（排紙載置面３１ａ）に排出直交方向Ｒｄに伸びて設けられたレール部材に沿ってスライダ部材が移動可能とされているものであればよく、上記した各実施例に限定されるものではない。
【０１２９】
上記した各実施例では、排紙サイドフェンス３３（設置用基部４２もしくは設置用基部４２３）の設置底面４２ｂにおける排出直交方向Ｒｄ外側の端部（対向箇所４２ｄ）と、サイド側スライダ部材３８の被設置面３８ｂとの間隔を間隔調整機構により調整するものとされていたが、排紙台３１（その排紙載置面３１ａ）に対する排紙サイドフェンス３３（その排紙ガイド面３３ａ）の角度の調整を可能とするものであれば、設置底面４２ｂにおける排出直交方向Ｒｄ内側の端部とサイド側スライダ部材３８の被設置面３８ｂとの間隔を間隔調整機構により調整するものとしてもよく、他の箇所において設置底面４２ｂと被設置面３８ｂとの間隔を間隔調整機構により調整するものとしてもよく、上記した各実施例に限定されるものではない。
【０１３０】
上記した各実施例では、サイド側スライダ部材３８の各支持脚部用穴３８ｃに通した１対の支持脚部材４４によりサイドフェンス回転軸４３を支持するものとされていたが、サイドフェンス回転軸は、サイド側スライダ部材３８に対して排紙サイドフェンス３３（設置用基部４２もしくは設置用基部４２３）が回転する際の回転中心を規定するものであって用紙排出方向Ｃｄと平行に伸びるものであればよく、上記した各実施例に限定されるものではない。
【０１３１】
上記した各実施例では、各排紙サイドフェンス３３の下方に用紙支持部材３７を設けていたが、排紙台３１の排紙載置面３１ａと連続しつつその排出直交方向Ｒｄの両外側に上方へと傾斜する面（用紙受面３７ａに相当する面）を形成することを可能とするものであればよく、上記した各実施例の構成に限定されるものではない。また、各排紙サイドフェンス３３の下方に用紙支持部材３７を設けないものとしてもよい。
【０１３２】
上記した各実施例では、サイド側レール部材３４の伸びる方向へと移動自在に設けられて各排紙サイドフェンス３３を支持する各サイド側スライダ部材３８に固定爪部材３９が設けられていたが、サイド側スライダ部材３８がサイド側レール部材３４に対して排出直交方向Ｒｄ外側へと向かうことを防止することとその解除とを可能とするものであればよく、実施例１の構成に限定されるものではない。このことは、エンド側レール部材３５の伸びる方向へと移動自在に設けられて排紙エンドフェンス３２を支持するエンド側スライダ部材３６の固定爪部材３９においても同様である。
【０１３３】
上記した各実施例では、画像形成装置の一例として孔版印刷装置１０を示したが、用紙Ｐに印刷画像を形成する画像形成機構と、印刷画像が形成された用紙Ｐを用紙排出方向Ｃｄに排出する用紙排出機構と、本願発明に係る排紙収容装置（３０、３０２、３０３）と、を備えるものであれば、孔版印刷装置１０以外の印刷装置、インキジェット記録装置、プリンタ、プロッタ、複写機もしくはファクシミリ等の機能を備えた画像形成装置またはそれら複数の機能を備えた複合機等の画像形成装置であってもよく、上記した各実施例に限定されるものではない。
【０１３４】
上記した各実施例では、印刷画像を形成される記録媒体を用紙Ｐとして示しているが、この用紙Ｐは、一般的な用紙以外にも、例えばコート紙等の特殊紙や、ＯＨＰシート等を含むものである。このため、用紙排出方向をシート排出方向と、用紙をシートと、排紙台を排出シート積載台と、排紙収容装置を排出シート収容装置と、上記した用語を上位概念用語で言い替えることができる。
【０１３５】
以上、本発明の排紙収容装置、それを備える画像形成装置を各実施例に基づき説明してきたが、具体的な構成については各実施例に限られるものではなく、本発明の要旨を逸脱しない限り、設計の変更や追加等は許容される。
【符号の説明】
【０１３６】
１０  （画像形成装置の一例としての）孔版印刷装置
１３  （画像形成機構の一例としての）印刷部
１５  （用紙排出機構の一例としての）排紙部
３０、３０２、３０３  排紙収容装置
３１  排紙台
３１ａ  排紙載置面
３２  排紙エンドフェンス
３３  排紙サイドフェンス
３３ａ  排紙ガイド面
３４  （レール部材の一例としての）サイド側レール部材
３８  （スライダ部材の一例としての）サイド側スライダ部材
３８ｂ  被設置面
４２ｂ  （排紙サイドフェンスにおける設置底面の一例としての）設置底面
４３  サイドフェンス回転軸
４４  支持脚部材
４５  （弾性部材の一例としての）圧縮コイルバネ
４６  （間隔調整機構の一例としての）スペーサ部材
５１  （間隔調整機構の一例としての）突出片部材
５１ａ  突出端部
６０  （間隔調整機構の一例としての）回転駆動部
７０  （間隔調整機構の一例としての）伝達部
Ｃｄ  用紙排出方向
Ｐ  用紙
Ｒｄ  排出直交方向
【先行技術文献】
【特許文献】
【０１３７】
【特許文献１】特開Ｈ０９−２３５０６５号公報
【図１】
2014144859.tif 000003
【図２】
2014144859.tif 000004
【図３】
2014144859.tif 000005
【図４】
2014144859.tif 000006
【図５】
2014144859.tif 000007
【図６】
2014144859.tif 000008
【図７】
2014144859.tif 000009
【図８】
2014144859.tif 000010
【図９】
2014144859.tif 000011
【図１０】
2014144859.tif 000012
【図１１】
2014144859.tif 000013
【図１２】
2014144859.tif 000014
【図１３】
2014144859.tif 000015
【図１４】
2014144859.tif 000016